(57)【要約】情報送信方法、情報受信方法、デバイス、および装置を開示する。情報送信方法は、第１の端末デバイスにより、第１の情報に基づいて、物理サイドリンク共有チャネルＰＳＳＣＨ上で搬送されるｍ個の復調参照信号ＤＭＲＳの数量または位置のうちの少なくとも１つを決定するステップであって、ｍは正の整数であり、第１の情報は、副搬送波スペーシング、ＰＳＳＣＨの期間、またはチャネルコヒーレンス時間のうちの少なくとも１つを含む、ステップと、第１の端末デバイスにより、ｍ個のＤＭＲＳを第２の端末デバイスに送信するステップとを含む。ＮＲシステムで、Ｖ２ＸのＰＳＳＣＨにＤＭＲＳを構成するためのソリューションが提供される。さらに、ＰＳＳＣＨ上のＤＭＲＳが決定されるとき、参照チャネルコヒーレンス時間が選択され得る。例えば、２つの構成された隣接ＤＭＲＳ間の時間間隔は、チャネルコヒーレンス時間以下であり得るので、ＤＭＲＳに基づいてチャネル推定を実行する精度を改善することができる。
2021536713.tif 000002
【特許請求の範囲】
【請求項１】
第１の端末デバイスにより、第１の情報に基づいて、物理サイドリンク共有チャネルＰＳＳＣＨ上で搬送されるｍ個の復調参照信号ＤＭＲＳの数量または位置のうちの少なくとも１つを決定するステップであって、ｍは正の整数であり、前記第１の情報は、副搬送波スペーシング、ＰＳＳＣＨの期間、またはチャネルコヒーレンス時間のうちの少なくとも１つを含む、ステップと、
前記第１の端末デバイスにより、前記ｍ個のＤＭＲＳを第２の端末デバイスに送信するステップと
を含む、情報送信方法。
【請求項２】
前記第１の情報は、前記副搬送波スペーシング、前記ＰＳＳＣＨの前記期間、および前記チャネルコヒーレンス時間を含み、第１の端末デバイスにより、第１の情報に基づいて、ＰＳＳＣＨ上で搬送されるｍ個のＤＭＲＳの数量または位置のうちの少なくとも１つを決定する前記ステップは、
前記第１の端末デバイスにより、前記副搬送波スペーシングに基づいて、前記ＰＳＳＣＨによって占有される１つのシンボルの期間を決定するステップと、
前記第１の端末デバイスにより、前記１つのシンボルの前記期間および前記チャネルコヒーレンス時間に基づいて、前記ｍ個のＤＭＲＳ内の２つの隣接するＤＭＲＳ間の時間間隔を決定するステップと、
前記第１の端末デバイスにより、前記ＰＳＳＣＨの前記期間および前記時間間隔に基づいて、前記ｍ個のＤＭＲＳの前記数量または前記位置のうちの少なくとも１つを決定するステップと
を含む、請求項１に記載の方法。
【請求項３】
第１の端末デバイスにより、第１の情報に基づいて、ＰＳＳＣＨ上で搬送されるｍ個のＤＭＲＳの数量または位置のうちの少なくとも１つを決定する前記ステップは、
前記第１の端末デバイスにより、前記第１の情報、およびＤＭＲＳと前記副搬送波スペーシング、前記ＰＳＳＣＨの前記期間、または前記チャネルコヒーレンス時間のうちの少なくとも１つとの間の事前構成された対応関係に基づいて、前記ｍ個のＤＭＲＳの前記数量または前記位置のうちの少なくとも１つを決定するステップ
を含む、請求項１に記載の方法。
【請求項４】
前記第１の端末デバイスにより、前記ＰＳＳＣＨ、および前記第１の端末デバイスによって伝送される物理サイドリンク制御チャネルＰＳＣＣＨが時分割多重ＴＤＭモードまたは周波数分割多重ＦＤＭモードにあると決定するステップをさらに含む、請求項１から３のいずれか一項に記載の方法。
【請求項５】
前記ＰＳＳＣＨ、および第前記１の端末デバイスによって伝送される前記ＰＳＣＣＨはＴＤＭモードにあり、
前記ＰＳＳＣＨ内の第１のシンボルは、自動利得制御ＡＧＣによって占有されず、前記ｍ個のＤＭＲＳ内の時間領域における第１のＤＭＲＳが前記ＰＳＳＣＨ内の前記第１のシンボルを占有する、または、
前記ＰＳＳＣＨ内の前記第１のシンボルがＡＧＣによって占有され、前記ｍ個のＤＭＲＳ内の時間領域における前記第１のＤＭＲＳは、前記ＰＳＳＣＨ内の第２のシンボルを占有する、請求項１から４のいずれか一項に記載の方法。
【請求項６】
前記ＰＳＳＣＨ、および前記第１の端末デバイスによって伝送される前記ＰＳＣＣＨはＦＤＭモードにあり、
前記ｍ個のＤＭＲＳ内の時間領域における第１のＤＭＲＳは、シーケンス番号が前記ＰＳＳＣＨ内のｎであるシンボルを占有し、シーケンス番号が前記ＰＳＳＣＨ内の０からｎ−１であるｎ個のシンボルの総期間が前記チャネルコヒーレンス時間以下であり、ｎは正の整数である、請求項１から５のいずれか一項に記載の方法。
【請求項７】
前記ＰＳＳＣＨにおいて、前記ｍ個のＤＭＲＳ内の２つの隣接するＤＭＲＳ間の時間間隔は、前記チャネルコヒーレンス時間以下である、請求項１から６のいずれか一項に記載の方法。
【請求項８】
第２の端末デバイスにより、第１の情報に基づいて、物理サイドリンク共有チャネルＰＳＳＣＨ上で搬送されるｍ個の復調参照信号ＤＭＲＳの数量または位置のうちの少なくとも１つを決定するステップであって、ｍは正の整数であり、前記第１の情報は、副搬送波スペーシング、前記ＰＳＳＣＨの期間、またはチャネルコヒーレンス時間のうちの少なくとも１つを含む、ステップと、
前記第２の端末デバイスにより、前記ｍ個のＤＭＲＳを第１の端末デバイスから受信するステップと
を含む、情報受信方法。
【請求項９】
前記第１の情報は、前記副搬送波スペーシング、前記ＰＳＳＣＨの前記期間、および，前記チャネルコヒーレンス時間を含み、前記第２の端末デバイスにより、第１の情報に基づいて、ＰＳＳＣＨ上で搬送されるｍ個のＤＭＲＳの数量または位置のうちの少なくとも１つを決定するステップは、
前記第２の端末デバイスにより、前記副搬送波スペーシングに基づいて、前記ＰＳＳＣＨによって占有される１つのシンボルの期間を決定するステップと、
前記第２の端末デバイスにより、前記１つのシンボルの期間および前記チャネルコヒーレンス時間に基づいて、前記ｍ個のＤＭＲＳ内の２つの隣接するＤＭＲＳ間の時間間隔を決定するステップと、
前記第２の端末デバイスにより、前記ＰＳＳＣＨの前記期間、および前記時間間隔に基づいて、前記ｍ個のＤＭＲＳの前記数量または前記位置のうちの少なくとも１つを決定するステップと
を含む、請求項８に記載の方法。
【請求項１０】
第２の端末デバイスにより、第１の情報に基づいて、ＰＳＳＣＨ上で搬送されるｍ個のＤＭＲＳの数量または位置のうちの少なくとも１つを決定する前記ステップは、
前記第２の端末デバイスにより、前記第１の情報、およびＤＭＲＳと前記副搬送波スペーシング、前記ＰＳＳＣＨの前記期間、または前記チャネルコヒーレンス時間のうちの少なくとも１つとの間の事前構成された対応関係に基づいて、前記ｍ個のＤＭＲＳの前記数量または前記位置のうちの少なくとも１つを決定するステップ
を含む、請求項８に記載の方法。
【請求項１１】
前記第２の端末デバイスにより、前記ＰＳＳＣＨ、および前記第２の端末デバイスによって伝送される物理サイドリンク制御チャネルＰＳＣＣＨが時分割多重ＴＤＭモードまたは周波数分割多重ＦＤＭモードにあると決定するステップをさらに含む、請求項８から１０のいずれか一項に記載の方法。
【請求項１２】
前記ＰＳＳＣＨ、および前記第２の端末デバイスによって伝送される前記ＰＳＣＣＨはＴＤＭモードにあり、
前記ＰＳＳＣＨ内の第１のシンボルは、ＡＧＣによって占有されず、前記ｍ個のＤＭＲＳ内の時間領域における第１のＤＭＲＳが前記ＰＳＳＣＨ内の前記第１のシンボルを占有する、または、
前記ＰＳＳＣＨ内の前記第１のシンボルがＡＧＣによって占有され、前記ｍ個のＤＭＲＳ内の時間領域における前記第１のＤＭＲＳは、前記ＰＳＳＣＨ内の第２のシンボルを占有する、請求項８から１１のいずれか一項に記載の方法。
【請求項１３】
前記ＰＳＳＣＨ、および前記第２の端末デバイスによって伝送される前記ＰＳＣＣＨはＦＤＭモードにあり、前記ｍ個のＤＭＲＳ内の時間領域における第１のＤＭＲＳは、シーケンス番号が前記ＰＳＳＣＨ内のｎであるシンボルを占有し、シーケンス番号が前記ＰＳＳＣＨ内の０からｎ−１であるｎ個のシンボルの総期間は、前記チャネルコヒーレンス時間以下であり、ｎは正の整数である、請求項８から１２のいずれか一項に記載の方法。
【請求項１４】
前記ＰＳＳＣＨにおいて、前記ｍ個のＤＭＲＳ内の２つの隣接するＤＭＲＳ間の時間間隔は、前記チャネルコヒーレンス時間以下である、請求項８から１３のいずれか一項に記載の方法。
【請求項１５】
第１の情報に基づいて、物理サイドリンク共有チャネルＰＳＳＣＨ上で搬送されるｍ個の復調参照信号ＤＭＲＳの数量または位置のうちの少なくとも１つを決定するように構成されたプロセッサであって、ｍは正の整数であり、前記第１の情報は、副搬送波スペーシング、ＰＳＳＣＨの期間、またはチャネルコヒーレンス時間のうちの少なくとも１つを含む、プロセッサと、
前記ｍ個のＤＭＲＳを第２の端末デバイスに送信するように構成されたトランシーバと
を備えた、端末デバイス。
【請求項１６】
前記第１の情報は、前記副搬送波スペーシング、前記ＰＳＳＣＨの前記期間、および前記チャネルコヒーレンス時間を含み、前記プロセッサは、前記第１の情報に基づいて、前記ＰＳＳＣＨ上で搬送される前記ｍ個のＤＭＲＳの前記数量または前記位置のうちの前記少なくとも１つを、以下のように、すなわち
前記副搬送波スペーシングに基づいて、前記ＰＳＳＣＨによって占有される１つのシンボルの期間を決定するステップと、
前記１つのシンボルの前記期間および前記チャネルコヒーレンス時間に基づいて、前記ｍ個のＤＭＲＳ内の２つの隣接するＤＭＲＳ間の時間間隔を決定するステップと、
前記ＰＳＳＣＨの前記期間および前記時間間隔に基づいて、前記ｍ個のＤＭＲＳの前記数量または前記位置のうちの少なくとも１つを決定するステップと
で決定するように構成された、請求項１５に記載の端末デバイス。
【請求項１７】
前記プロセッサは、前記第１の情報に基づいて、前記ＰＳＳＣＨ上で搬送される前記ｍ個のＤＭＲＳの前記数量または前記位置のうちの前記少なくとも１つを、以下のように、すなわち
前記第１の情報、およびＤＭＲＳと前記副搬送波スペーシング、前記ＰＳＳＣＨの前記期間、または前記チャネルコヒーレンス時間のうちの少なくとも１つとの間の事前構成された対応関係に基づいて、前記ｍ個のＤＭＲＳの前記数量または前記位置のうちの少なくとも１つを決定するステップ
で決定するように構成される、請求項１５に記載の端末デバイス。
【請求項１８】
前記プロセッサは、
前記ＰＳＳＣＨ、および前記端末デバイスによって伝送される物理サイドリンク制御チャネルＰＳＣＣＨが時分割多重ＴＤＭモードまたは周波数分割多重ＦＤＭモードにあると決定するようにさらに構成された、請求項１５から１７のいずれか一項に記載の端末デバイス。
【請求項１９】
前記ＰＳＳＣＨ、および前記端末デバイスによって伝送される前記ＰＳＣＣＨはＴＤＭモードにあり、
前記ＰＳＳＣＨ内の第１のシンボルは、自動利得制御ＡＧＣによって占有されず、前記ｍ個のＤＭＲＳ内の時間領域における第１のＤＭＲＳが前記ＰＳＳＣＨ内の前記第１のシンボルを占有する、または、
前記ＰＳＳＣＨ内の前記第１のシンボルがＡＧＣによって占有され、前記ｍ個のＤＭＲＳ内の時間領域における前記第１のＤＭＲＳは、前記ＰＳＳＣＨ内の第２のシンボルを占有する、請求項１５から１８のいずれか一項に記載の端末デバイス。
【請求項２０】
前記ＰＳＳＣＨ、および前記端末デバイスによって伝送される前記ＰＳＣＣＨはＦＤＭモードにあり、
前記ｍ個のＤＭＲＳ内の時間領域における第１のＤＭＲＳは、シーケンス番号が前記ＰＳＳＣＨ内のｎであるシンボルを占有し、シーケンス番号が前記ＰＳＳＣＨ内の０からｎ−１であるｎ個のシンボルの総期間が前記チャネルコヒーレンス時間以下であり、ｎは正の整数である、請求項１５から１９のいずれか一項に記載の端末デバイス。
【請求項２１】
前記ＰＳＳＣＨにおいて、前記ｍ個のＤＭＲＳ内の２つの隣接するＤＭＲＳ間の時間間隔は、前記チャネルコヒーレンス時間以下である、請求項１５から２０のいずれか一項に記載の端末デバイス。
【請求項２２】
第１の情報に基づいて、物理サイドリンク共有チャネルＰＳＳＣＨ上で搬送されるｍ個の復調参照信号ＤＭＲＳの数量または位置のうちの少なくとも１つを決定するように構成されたプロセッサであって、ｍは正の整数であり、前記第１の情報は、副搬送波スペーシング、前記ＰＳＳＣＨの期間、またはチャネルコヒーレンス時間のうちの少なくとも１つを含む、プロセッサと、
前記ｍ個のＤＭＲＳを第１の端末デバイスから受信するように構成されたトランシーバと
を備えた、端末デバイス。
【請求項２３】
前記第１の情報は、前記副搬送波スペーシング、前記ＰＳＳＣＨの前記期間、および，前記チャネルコヒーレンス時間を含み、前記プロセッサは、前記第１の情報に基づいて、前記ＰＳＳＣＨ上で搬送される前記ｍ個のＤＭＲＳの前記数量または前記位置のうちの少なくとも１つを、以下のように、すなわち
前記副搬送波スペーシングに基づいて、前記ＰＳＳＣＨによって占有される１つのシンボルの期間を決定するステップと、
前記１つのシンボルの期間および前記チャネルコヒーレンス時間に基づいて、前記ｍ個のＤＭＲＳ内の２つの隣接するＤＭＲＳ間の時間間隔を決定するステップと、
前記ＰＳＳＣＨの前記期間、および前記時間間隔に基づいて、前記ｍ個のＤＭＲＳの前記数量または前記位置のうちの少なくとも１つを決定するステップと
で決定するように構成された、請求項２２に記載の端末デバイス。
【請求項２４】
前記プロセッサは、前記第１の情報に基づいて、前記ＰＳＳＣＨ上で搬送される前記ｍ個のＤＭＲＳの前記数量または前記位置のうちの少なくとも１つを、以下のように、すなわち
前記第１の情報、およびＤＭＲＳと前記副搬送波スペーシング、前記ＰＳＳＣＨの期間、または前記チャネルコヒーレンス時間のうちの少なくとも１つとの間の事前構成された対応関係に基づいて、前記ｍ個のＤＭＲＳの前記数量または前記位置のうちの少なくとも１つを決定するステップ
で決定するように構成された、請求項２２に記載の端末デバイス。
【請求項２５】
前記プロセッサは、
前記ＰＳＳＣＨ、および前記端末デバイスによって伝送される物理サイドリンク制御チャネルＰＳＣＣＨが時分割多重ＴＤＭモードまたは周波数分割多重ＦＤＭモードにあると決定するようにさらに構成された、請求項２２から２４のいずれか一項に記載の端末デバイス。
【請求項２６】
前記ＰＳＳＣＨ、および前記端末デバイスによって伝送される前記ＰＳＣＣＨはＴＤＭモードにあり、
前記ＰＳＳＣＨ内の第１のシンボルは、ＡＧＣによって占有されず、前記ｍ個のＤＭＲＳ内の時間領域における第１のＤＭＲＳが前記ＰＳＳＣＨ内の前記第１のシンボルを占有する、または、
前記ＰＳＳＣＨ内の前記第１のシンボルがＡＧＣによって占有され、前記ｍ個のＤＭＲＳ内の時間領域における前記第１のＤＭＲＳは、前記ＰＳＳＣＨ内の第２のシンボルを占有する、請求項２２から２５のいずれか一項に記載の端末デバイス。
【請求項２７】
前記ＰＳＳＣＨ、および前記端末デバイスによって伝送される前記ＰＳＣＣＨはＦＤＭモードにあり、
前記ｍ個のＤＭＲＳ内の時間領域における第１のＤＭＲＳは、シーケンス番号が前記ＰＳＳＣＨ内のｎであるシンボルを占有し、シーケンス番号が前記ＰＳＳＣＨ内の０からｎ−１であるｎ個のシンボルの総期間は、前記チャネルコヒーレンス時間以下であり、ｎは正の整数である、請求項２２から２６のいずれか一項に記載の端末デバイス。
【請求項２８】
前記ＰＳＳＣＨにおいて、前記ｍ個のＤＭＲＳ内の２つの隣接するＤＭＲＳ間の時間間隔は、前記チャネルコヒーレンス時間以下である、請求項２２から２７のいずれか一項に記載の端末デバイス。
【請求項２９】
請求項１から７のいずれか一項に記載の方法を実行するように構成された、または請求項８から１４のいずれか一項に記載の方法を実行するように構成された、通信装置。
【請求項３０】
コンピュータ可読記憶媒体であって、前記コンピュータ可読記憶媒体はコンピュータプログラムを備え、前記コンピュータプログラムはプログラム命令を備え、前記プログラム命令がコンピュータにより実行されたとき、前記コンピュータは請求項１から７のいずれか一項に記載の方法を実行すること、または請求項８から１４のいずれか一項に記載の方法を実行することを可能にされる、コンピュータ可読記憶媒体。
【発明の詳細な説明】
【技術分野】
【０００１】
本願は、通信技術の分野に関し、詳細には、情報送信方法、情報受信方法、デバイス、および装置に関する。
【背景技術】
【０００２】
本願は、２０１８年９月１４日に中国特許庁に出願され、「ＩＮＦＯＲＭＡＴＩＯＮ  ＳＥＮＤＩＮＧ  ＡＮＤ  ＲＥＣＥＩＶＩＮＧ  ＭＥＴＨＯＤ，  ＤＥＶＩＣＥ，  ＡＮＤ  ＡＰＰＡＲＡＴＵＳ」という名称の中国特許出願第２０１８１１０７５０６８．０号に対する優先権を主張し、その全体が参照により本明細書に組み込まれている。
【０００３】
ビークルツーエブリシング（ｖｅｈｉｃｌｅ−ｔｏ−ｅｖｅｒｙｔｈｉｎｇ、Ｖ２Ｘ）は、将来の高度道路交通システム（ｉｎｔｅｌｌｉｇｅｎｔ  ｔｒａｎｓｐｏｒｔ  ｓｙｓｔｅｍ、ＩＴＳ）の重要な技術であり、ビークルツービークル（ｖｅｈｉｃｌｅ−ｔｏ−ｖｅｈｉｃｌｅ、Ｖ２Ｖ）直接通信、ビークルツーインフラストラクチャ（ｖｅｈｉｃｌｅ−ｔｏ−ｉｎｆｒａｓｔｒｕｃｔｕｒｅ、Ｖ２Ｉ）直接通信、ビークルツーペデストリアン（ｖｅｈｉｃｌｅ−ｔｏ−ｐｅｄｅｓｔｒｉａｎ、Ｖ２Ｐ）直接通信、およびビークルツーネットワーク（ｖｅｈｉｃｌｅ−ｔｏ−ｎｅｔｗｏｒｋ、Ｖ２Ｎ）通信インタラクションを含む。Ｖ２Ｘ技術は、異なるアプリケーションシナリオに十分に適応することができる。リアルタイムの道路状態、道路、および歩行者など交通情報を、通信を通じて得ることができ、交通安全を大きく改善し、混雑を低減し、交通効率を改善する。さらに、Ｖ２Ｘ技術は、自律運転、高度道路交通、インターネットオブビークル革新を低コストで容易に実装するための基礎プラットフォームを提供する。
【０００４】
Ｖ２Ｘでは、物理サイドリンク共有チャネル（ｐｈｙｓｉｃａｌ  ｓｉｄｅｌｉｎｋ  ｓｈａｒｅｄ  ｃｈａｎｎｅｌ、ＰＳＳＣＨ）が端末デバイス間での通信のために使用され得る。ロングタームエボリューション（ｌｏｎｇ  ｔｅｒｍ  ｅｖｏｌｕｔｉｏｎ、ＬＴＥ）標準では、ＰＳＳＣＨの復調参照信号（ｄｅｍｏｄｕｌａｔｉｏｎ  ｒｅｆｅｒｅｎｃｅ  ｓｉｇｎａｌ、ＤＭＲＳ）構成は、基本的に物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）のＤＭＲＳ構成ソリューションを継承し、差異は、高モビリティシナリオに対処するために、１つのスロット内でＤＭＲＳによって占有される直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルの数量がＰＵＳＣＨ内の２からＰＳＳＣＨ内の４に増大される点だけにある。図１は、１つのスロット内のＰＵＳＣＨ上のＤＭＲＳの位置と、ＬＴＥ標準における１つのスロット内のＰＳＳＣＨ上のＤＭＲＳの位置との間の比較を提供する。図１では、斜線を有するボックスは、ＤＭＲＳの位置を表す。
【０００５】
しかし、第５世代（ｔｈｅ  ５th  ｇｅｎｅｒａｔｉｏｎ、５Ｇ）モバイル通信技術の新無線（ｎｅｗ  ｒａｄｉｏ、ＮＲ）では、ＤＭＲＳ構成ソリューションがＰＳＳＣＨのために提供されていない。
【発明の概要】
【０００６】
本願の実施形態は、ＮＲシステムにおけるＶ２ＸにおいてＰＳＳＣＨ上のＤＭＲＳを構成するためのソリューションを提供するために、情報送信方法、情報受信方法、デバイス、および装置を提供する。
【０００７】
第１の態様によれば、情報送信方法が提供される。この方法は以下を含む。第１の端末デバイスが、第１の情報に基づいて、ＰＳＳＣＨ上で搬送されるｍ個のＤＭＲＳの数量または位置のうちの少なくとも１つを決定する。ｍは、正の整数であり、第１の情報は、副搬送波スペーシング、ＰＳＳＣＨの期間、またはチャネルコヒーレンス時間のうちの少なくとも１つを含む。第１の端末デバイスは、ｍ個のＤＭＲＳを第２の端末デバイスに送信する。
【０００８】
この方法は、第１の通信装置によって実施され得る。第１の通信装置は、この方法で必要とされる機能を実施する際に端末デバイスをサポートすることができる端末デバイスまたは通信装置であってよい。たとえば、第１の通信装置は、第１の端末デバイスである。当然、第１の通信装置は、代替として、別の通信装置、たとえば、チップシステムであってよい。
【０００９】
本願の実施形態では、ＰＳＳＣＨ上のｍ個のＤＭＲＳの数量または位置のうちの少なくとも１つは、ＮＲシステムにおけるＶ２ＸにおいてＰＳＳＣＨ上のＤＭＲＳを構成するソリューションを提供するために、副搬送波スペーシング、ＰＳＳＣＨの期間、またはチャネルコヒーレンス時間のうちの少なくとも１つに基づいて決定され得る。さらに、ＰＳＳＣＨ上のＤＭＲＳが決定されるとき、参照チャネルコヒーレンス時間が選択され得る。たとえば、２つの構成された隣接するＤＭＲＳ間の時間間隔は、チャネルコヒーレンス時間以下となり得、その結果、ＤＭＲＳに基づいてチャネル推定を実施する精度を改善することができる。
【００１０】
可能な設計では、第１の情報は、副搬送波スペーシング、ＰＳＳＣＨの期間、およびチャネルコヒーレンス時間を含み、第１の端末デバイスが第１の情報に基づいて、ＰＳＳＣＨ上で搬送されるｍ個のＤＭＲＳの数量または位置のうちの少なくとも１つを決定することは、以下を含む。第１の端末デバイスは、副搬送波スペーシングに基づいて、ＰＳＳＣＨによって占有される１つのシンボルの期間を決定する。第１の端末デバイスは、１つのシンボルの期間およびチャネルコヒーレンス時間に基づいて、ｍ個のＤＭＲＳ内の２つの隣接するＤＭＲＳ間の時間間隔を決定する。第１の端末デバイスは、ＰＳＳＣＨの期間および時間間隔に基づいて、ｍ個のＤＭＲＳの数量または位置のうちの少なくとも１つを決定する。
【００１１】
第１の端末デバイスまたは第２の端末デバイスは、ｍ個のＤＭＲＳの数量または位置のうちの少なくとも１つを、第１の情報に基づいて比較的直接的な方式で直接計算し得る。さらに、本願のこの実施形態では、チャネルコヒーレンス時間がさらに考慮され、ＤＭＲＳの時間領域における分散間隔は、チャネルコヒーレンス時間以下であり、その結果、自変チャネルを比較的正確に推定することができる。
【００１２】
可能な設計では、第１の端末デバイスが、第１の情報に基づいて、ＰＳＳＣＨ上で搬送されるｍ個のＤＭＲＳの数量または位置のうちの少なくとも１つを決定することは、以下を含む。第１の端末デバイスは、第１の情報、およびＤＭＲＳと副搬送波スペーシング、ＰＳＳＣＨの期間、またはチャネルコヒーレンス時間のうちの少なくとも１つとの間の事前構成された対応関係に基づいて、ｍ個のＤＭＲＳの数量または位置のうちの少なくとも１つを決定する。
【００１３】
すなわち、ＤＭＲＳと副搬送波スペーシング、ＰＳＳＣＨの期間、またはチャネルコヒーレンス時間のうちの少なくとも１つとの間の対応関係は事前構成されており、その結果、第１の端末デバイスまたは第２の端末デバイスは、第１の情報を知ることを必要とするだけであり、第１の情報および対応関係に基づいて、次いで、ｍ個のＤＭＲＳの数量または位置のうちの少なくとも１つを直接決定し得る。これは比較的単純であり、端末デバイスの実装を単純化する助けとなる。
【００１４】
可能な設計では、この方法は、以下をさらに含む。第１の端末デバイスは、ＰＳＳＣＨ、および第１の端末デバイスによって伝送されるＰＳＣＣＨがＴＤＭモードまたはＦＤＭモードにあると決定する。
【００１５】
ＰＳＳＣＨ、および端末デバイスによって伝送されるＰＳＳＣＨが異なるモードにあるとき、ｍ個のＤＭＲＳの位置は異なり得る。したがって、第１の端末デバイスまたは第２の端末デバイスは、ＰＳＳＣＨ、および端末デバイスによって伝送されるＰＳＳＣＨのモードを決定し得る。
【００１６】
可能な設計では、ＰＳＳＣＨ、および第２の端末デバイスによって伝送されるＰＳＣＣＨはＴＤＭモードにあり、この場合、ＰＳＳＣＨ内の第１のシンボルは、ＡＧＣによって占有されず、ｍ個のＤＭＲＳ内の時間領域における第１のＤＭＲＳがＰＳＳＣＨ内の第１のシンボルを占有する、または、ＰＳＳＣＨ内の第１のシンボルがＡＧＣによって占有され、ｍ個のＤＭＲＳ内の時間領域における第１のＤＭＲＳは、ＰＳＳＣＨ内の第２のシンボルを占有する。
【００１７】
ＰＳＳＣＨ、および端末デバイスによって伝送されるＰＳＣＣＨがＴＤＭモードにある場合、復号処理を加速しレイテンシを低減するために、フロントロードＤＭＲＳ構成ソリューションが使用され得る。すなわち、ｍ個のＤＭＲＳ内の時間領域における第１のＤＭＲＳは、可能な限りＰＳＳＣＨの先頭に配置され得る。これは、復号処理を加速し、伝送レイテンシを低減する助けとなる。しかし、要件に基づいて、ＮＲシステムでは、ＰＳＳＣＨ内の第１のシンボルは、データまたはＡＧＣとして構成され得る。したがって、ＰＳＳＣＨ内の第１のシンボルがＡＧＣによって占有される場合、ｍ個のＤＭＲＳ内の時間領域における第１のＤＭＲＳは、ＰＳＳＣＨ内の第２のシンボルを占有し、ＰＳＳＣＨ内の第１のシンボルがＡＧＣによって占有されない場合、ｍ個のＤＭＲＳ内の時間領域における第１のＤＭＲＳは、ＰＳＳＣＨ内の第１のシンボルを占有する。このようにして、ＤＭＲＳは可能な限りフロントロードされ、既存のＡＧＣ分散方式もまた互換である。
【００１８】
可能な設計では、ＰＳＳＣＨ、および第２の端末デバイスによって伝送されるＰＳＣＣＨは、ＦＤＭモードにあり、ｍ個のＤＭＲＳ内の時間領域における第１のＤＭＲＳは、そのシーケンス番号がＰＳＳＣＨ内のｎであるシンボルを占有し、そのシーケンス番号がＰＳＳＣＨ内の０からｎ−１であるｎ個のシンボルの総期間がチャネルコヒーレンス時間以下であり、ｎは正の整数である。
【００１９】
フロントロードＤＭＲＳ構成ソリューションは比較的大きなＤＭＲＳオーバーヘッドを引き起こすことがあり、ＰＳＳＣＨおよびＰＳＣＣＨがＦＤＭモードにある場合、復号処理は、前述のフロントロードＤＭＲＳ構成ソリューションが引き続き使用される場合、もはや加速されることが可能でないことがあることを考慮して、本願のこの実施形態は、以下の解決策、すなわち、ＰＳＳＣＨおよびＰＳＣＣＨがＦＤＭモードにある場合、フロントロードＤＭＲＳ構成ソリューションが使用されなくてもよく、ＤＭＲＳの位置が再配置されることを提案する。ＰＳＳＣＨおよびＰＳＣＣＨがＦＤＭモードにある場合、ｍ個のＤＭＲＳ内の時間領域における第１のＤＭＲＳは、そのシーケンス番号がＰＳＳＣＨ内のｎであるシンボルを占有し、そのシーケンス番号がＰＳＳＣＨ内の０からｎ−１であるｎ個のシンボルの総期間は、チャネルコヒーレンス時間以下である。このようにして、ｍ個のＤＭＲＳ内の時間領域における第１のＤＭＲＳは、そのシーケンス番号がＰＳＳＣＨ内の０からｎ−１であるシンボルをカバーすることができる。すなわち、ＰＳＳＣＨ全体を、ｍ個のＤＭＲＳを使用することによってカバーすることができる。さらに、ＤＭＲＳがフロントロードされる方式が使用されず、ＤＭＲＳオーバーヘッドをある程度低減する助けとなる。
【００２０】
可能な設計では、ＰＳＳＣＨでは、ｍ個のＤＭＲＳ内の２つの隣接するＤＭＲＳ間の時間間隔は、チャネルコヒーレンス時間以下である。
【００２１】
このようにして、ｍ個のＤＭＲＳ内の２つの隣接するＤＭＲＳ間の時間間隔は、チャネルコヒーレンス時間以下であり、これは、ＤＭＲＳに基づいてチャネル推定を実施する精度を改善し得る。
【００２２】
第２の態様によれば、情報受信方法が提供される。この方法は、以下を含む。第２の端末デバイスが、第１の情報に基づいて、ＰＳＳＣＨ上で搬送されるｍ個のＤＭＲＳの数量または位置のうちの少なくとも１つを決定する。ｍは、正の整数であり、第１の情報は、副搬送波スペーシング、ＰＳＳＣＨの期間、またはチャネルコヒーレンス時間のうちの少なくとも１つを含む。第２の端末デバイスは、ｍ個のＤＭＲＳを第１の端末デバイスから受信する。
【００２３】
この方法は、第２の通信装置によって実施され得る。第２の通信装置は、この方法で必要とされる機能を実施する際に端末デバイスをサポートすることができる端末デバイスまたは通信装置であってよい。たとえば、第２の通信装置は、第２の端末デバイスである。当然、第２の通信装置は、代替として、別の通信装置、たとえば、チップシステムであってよい。
【００２４】
可能な設計では、第１の情報は、副搬送波スペーシング、ＰＳＳＣＨの期間、および，チャネルコヒーレンス時間を含み、第２の端末デバイスが、第１の情報に基づいて、ＰＳＳＣＨ上で搬送されるｍ個のＤＭＲＳの数量または位置のうちの少なくとも１つを決定することは、以下を含む。第２の端末デバイスは、副搬送波スペーシングに基づいて、ＰＳＳＣＨによって占有される１つのシンボルの期間を決定する。第２の端末デバイスは、１つのシンボルの期間およびチャネルコヒーレンス時間に基づいて、ｍ個のＤＭＲＳ内の２つの隣接するＤＭＲＳ間の時間間隔を決定する。第２の端末デバイスは、ＰＳＳＣＨの期間、および時間間隔に基づいて、ｍ個のＤＭＲＳの数量または位置のうちの少なくとも１つを決定する。
【００２５】
可能な設計では、第２の端末デバイスが、第１の情報に基づいて、ＰＳＳＣＨ上で搬送されるｍ個のＤＭＲＳの数量または位置のうちの少なくとも１つを決定することは、以下を含む。第２の端末デバイスは、第１の情報、およびＤＭＲＳと副搬送波スペーシング、ＰＳＳＣＨの期間、またはチャネルコヒーレンス時間のうちの少なくとも１つとの間の事前構成された対応関係に基づいて、ｍ個のＤＭＲＳの数量または位置のうちの少なくとも１つを決定する。
【００２６】
可能な設計では、この方法は、以下をさらに含む。第２の端末デバイスは、ＰＳＳＣＨ、および第２の端末デバイスによって伝送されるＰＳＣＣＨがＴＤＭモードまたはＦＤＭモードにあると決定する。
【００２７】
可能な設計では、ＰＳＳＣＨ、および第２の端末デバイスによって伝送されるＰＳＣＣＨは、ＴＤＭモードにあり、この場合、ＰＳＳＣＨ内の第１のシンボルは、ＡＧＣによって占有されず、ｍ個のＤＭＲＳ内の時間領域における第１のＤＭＲＳがＰＳＳＣＨ内の第１のシンボルを占有する、または、ＰＳＳＣＨ内の第１のシンボルがＡＧＣによって占有され、ｍ個のＤＭＲＳ内の時間領域における第１のＤＭＲＳは、ＰＳＳＣＨ内の第２のシンボルを占有する。
【００２８】
可能な設計では、ＰＳＳＣＨ、および第２の端末デバイスによって伝送されるＰＳＣＣＨは、ＦＤＭモードにあり、ｍ個のＤＭＲＳ内の時間領域における第１のＤＭＲＳは、そのシーケンス番号がＰＳＳＣＨ内のｎであるシンボルを占有し、そのシーケンス番号がＰＳＳＣＨ内の０からｎ−１であるｎ個のシンボルの総期間は、チャネルコヒーレンス時間以下であり、ｎは正の整数である。
【００２９】
可能な設計では、ＰＳＳＣＨでは、ｍ個のＤＭＲＳ内の２つの隣接するＤＭＲＳ間の時間間隔は、チャネルコヒーレンス時間以下である。
【００３０】
第２の態様または第２の態様の様々な可能な設計によってもたらされる技術的効果については、第１の態様または第１の態様の様々な設計の関連の説明を参照されたい。詳細は再度記載されていない。
【００３１】
第３の態様によれば、第１の通信装置が提供される。通信装置は、たとえば、上記の第１の通信装置、たとえば、第１の端末デバイスである。通信装置は、前述の方法設計において第１の端末デバイスを実装する機能を有する。通信装置は、たとえば、互いに結合されたプロセッサおよびトランシーバを含む。トランシーバは、たとえば、通信インターフェースとして実装される。本明細書では、通信インターフェースは、第１の端末デバイス内の無線周波数トランシーバ構成要素として理解されてよい。
【００３２】
プロセッサは、第１の情報に基づいて、ＰＳＳＣＨ上で搬送されるｍ個のＤＭＲＳの数量または位置のうちの少なくとも１つを決定するように構成され、ｍは、正の整数であり、第１の情報は、副搬送波スペーシング、ＰＳＳＣＨの期間、またはチャネルコヒーレンス時間のうちの少なくとも１つを含む。
【００３３】
トランシーバは、ｍ個のＤＭＲＳを第２の端末デバイスに送信するように構成される。
【００３４】
可能な設計では、第１の情報は、副搬送波スペーシング、ＰＳＳＣＨの期間、およびチャネルコヒーレンス時間を含み、プロセッサは、第１の情報に基づいて、ＰＳＳＣＨ上で搬送されるｍ個のＤＭＲＳの数量または位置のうちの少なくとも１つを以下のように、すなわち、副搬送波スペーシングに基づいて、ＰＳＳＣＨによって占有される１つのシンボルの期間を決定し、１つのシンボルの期間およびチャネルコヒーレンス時間に基づいて、ｍ個のＤＭＲＳ内の２つの隣接するＤＭＲＳ間の時間間隔を決定し、ＰＳＳＣＨの期間、および時間間隔に基づいて、ｍ個のＤＭＲＳの数量または位置のうちの少なくとも１つを決定して、決定するように構成される。
【００３５】
可能な設計では、プロセッサは、第１の情報に基づいて、ＰＳＳＣＨ上で搬送されるｍ個のＤＭＲＳの数量または位置のうちの少なくとも１つを以下のように、すなわち、第１の情報、およびＤＭＲＳと副搬送波スペーシング、ＰＳＳＣＨの期間、またはチャネルコヒーレンス時間のうちの少なくとも１つとの間の事前構成された対応関係に基づいて、ｍ個のＤＭＲＳの数量または位置のうちの少なくとも１つを決定して、決定するように構成される。
【００３６】
可能な設計では、プロセッサは、ＰＳＳＣＨ、および端末デバイスによって伝送される物理サイドリンク制御チャネルＰＳＣＣＨが時分割多重ＴＤＭモードまたは周波数分割多重ＦＤＭモードにあると決定するようにさらに構成される。
【００３７】
可能な設計では、ＰＳＳＣＨ、および端末デバイスによって伝送されるＰＳＣＣＨは、ＴＤＭモードにあり、この場合、ＰＳＳＣＨ内の第１のシンボルは、自動利得制御ＡＧＣによって占有されず、ｍ個のＤＭＲＳ内の時間領域における第１のＤＭＲＳがＰＳＳＣＨ内の第１のシンボルを占有する、または、ＰＳＳＣＨ内の第１のシンボルがＡＧＣによって占有され、ｍ個のＤＭＲＳ内の時間領域における第１のＤＭＲＳは、ＰＳＳＣＨ内の第２のシンボルを占有する。
【００３８】
可能な設計では、ＰＳＳＣＨ、および端末デバイスによって伝送されるＰＳＣＣＨは、ＦＤＭモードにあり、ｍ個のＤＭＲＳ内の時間領域における第１のＤＭＲＳは、そのシーケンス番号がＰＳＳＣＨ内のｎであるシンボルを占有し、そのシーケンス番号がＰＳＳＣＨ内の０からｎ−１であるｎ個のシンボルの総期間は、チャネルコヒーレンス時間以下であり、ｎは正の整数である。
【００３９】
可能な設計では、ＰＳＳＣＨでは、ｍ個のＤＭＲＳ内の２つの隣接するＤＭＲＳ間の時間間隔は、チャネルコヒーレンス時間以下である。
【００４０】
第３の態様または第３の態様の様々な可能な設計によってもたらされる技術的効果については、第１の態様または第１の態様の様々な設計の関連の説明を参照されたい。詳細は再度記載されていない。
【００４１】
第４の態様によれば、第２の通信装置が提供される。通信装置は、たとえば、上記の第２の通信装置、たとえば、第２の端末デバイスである。通信装置は、前述の方法設計において第２の端末デバイスを実装する機能を有する。通信装置は、たとえば、互いに結合されたプロセッサおよびトランシーバを含む。トランシーバは、たとえば、通信インターフェースとして実装される。本明細書では、通信インターフェースは、第２の端末デバイス内の無線周波数トランシーバ構成要素として理解されてよい。
【００４２】
プロセッサは、第１の情報に基づいて、ＰＳＳＣＨ上で搬送されるｍ個のＤＭＲＳの数量または位置のうちの少なくとも１つを決定するように構成され、ｍは、正の整数であり、第１の情報は、副搬送波スペーシング、ＰＳＳＣＨの期間、またはチャネルコヒーレンス時間のうちの少なくとも１つを含む。
【００４３】
トランシーバは、ｍ個のＤＭＲＳを第１の端末デバイスから受信するように構成される。
【００４４】
可能な設計では、第１の情報は、副搬送波スペーシング、ＰＳＳＣＨの期間、およびチャネルコヒーレンス時間を含み、プロセッサは、第１の情報に基づいて、ＰＳＳＣＨ上で搬送されるｍ個のＤＭＲＳの数量または位置のうちの少なくとも１つを以下のように、すなわち、副搬送波スペーシングに基づいて、ＰＳＳＣＨによって占有される１つのシンボルの期間を決定し、１つのシンボルの期間およびチャネルコヒーレンス時間に基づいて、ｍ個のＤＭＲＳ内の２つの隣接するＤＭＲＳ間の時間間隔を決定し、ＰＳＳＣＨの期間、および時間間隔に基づいて、ｍ個のＤＭＲＳの数量または位置のうちの少なくとも１つを決定して、決定するように構成される。
【００４５】
可能な設計では、プロセッサは、第１の情報に基づいて、ＰＳＳＣＨ上で搬送されるｍ個のＤＭＲＳの数量または位置のうちの少なくとも１つを以下のように、すなわち、第１の情報、およびＤＭＲＳと副搬送波スペーシング、ＰＳＳＣＨの期間、またはチャネルコヒーレンス時間のうちの少なくとも１つとの間の事前構成された対応関係に基づいて、ｍ個のＤＭＲＳの数量または位置のうちの少なくとも１つを決定して、決定するように構成される。
【００４６】
可能な設計では、プロセッサは、ＰＳＳＣＨ、および端末デバイスによって伝送される物理サイドリンク制御チャネルＰＳＣＣＨが時分割多重ＴＤＭモードまたは周波数分割多重ＦＤＭモードにあると決定するようにさらに構成される。
【００４７】
可能な設計では、ＰＳＳＣＨ、および端末デバイスによって伝送されるＰＳＣＣＨがＴＤＭモードにあり、この場合、ＰＳＳＣＨ内の第１のシンボルは、ＡＧＣによって占有されず、ｍ個のＤＭＲＳ内の時間領域における第１のＤＭＲＳがＰＳＳＣＨ内の第１のシンボルを占有する、または、ＰＳＳＣＨ内の第１のシンボルがＡＧＣによって占有され、ｍ個のＤＭＲＳ内の時間領域における第１のＤＭＲＳは、ＰＳＳＣＨ内の第２のシンボルを占有する。
【００４８】
可能な設計では、ＰＳＳＣＨ、および端末デバイスによって伝送されるＰＳＣＣＨは、ＦＤＭモードにあり、ｍ個のＤＭＲＳ内の時間領域における第１のＤＭＲＳは、そのシーケンス番号がＰＳＳＣＨ内のｎであるシンボルを占有し、そのシーケンス番号がＰＳＳＣＨ内の０からｎ−１であるｎ個のシンボルの総期間は、チャネルコヒーレンス時間以下であり、ｎは正の整数である。
【００４９】
可能な設計では、ＰＳＳＣＨでは、ｍ個のＤＭＲＳ内の２つの隣接するＤＭＲＳ間の時間間隔は、チャネルコヒーレンス時間以下である。
【００５０】
第４の態様または第４の態様の様々な可能な設計によってもたらされる技術的効果については、第２の態様または第２の態様の様々な設計の関連の説明を参照されたい。詳細は再度記載されていない。
【００５１】
第５の態様によれば、第３の通信装置が提供される。通信装置は、たとえば、上記の第１の通信装置、たとえば、第１の端末デバイスである。通信装置は、前述の方法設計において第１の端末デバイスを実装する機能を有する。これらの機能は、ハードウェアによって実装されてもよく、対応するソフトウェアを実行するハードウェアによって実装されてもよい。ハードウェアまたはソフトウェアは、前述の機能に対応する１つまたは複数のモジュールを含む。
【００５２】
可能な設計では、通信装置の特定の構造は、処理モジュールとトランシーバモジュールとを含み得る。処理モジュールおよびトランシーバモジュールは、第１の態様または第１の態様の可能な実装のいずれか１つに提供されている方法における対応する機能を実施し得る。
【００５３】
第６の態様によれば、第４の通信装置が提供される。通信装置は、たとえば、上記の第２の通信装置、たとえば、端末デバイスである。通信装置は、前述の方法設計において第２の端末デバイスを実装する機能を有する。これらの機能は、ハードウェアによって実装されてもよく、対応するソフトウェアを実行するハードウェアによって実装されてもよい。ハードウェアまたはソフトウェアは、前述の機能に対応する１つまたは複数のモジュールを含む。
【００５４】
可能な設計では、通信装置の特定の構造は、処理モジュールとトランシーバモジュールとを含み得る。処理モジュールおよびトランシーバモジュールは、第２の態様または第２の態様の可能な実装のいずれか１つに提供されている方法における対応する機能を実施し得る。
【００５５】
第７の態様によれば、第５の通信装置が提供される。通信装置は、前述の方法設計における第１の通信装置、たとえば、第１の端末デバイス、または第１の端末デバイス内に配置されたチップであってよい。通信装置は、コンピュータ実行可能プログラムコードを記憶するように構成されたメモリと、プロセッサとを含み、プロセッサは、メモリに結合される。メモリ内に記憶されたプログラムコードは、命令を含み、プロセッサが命令を実行したとき、第５の通信装置は、第１の態様または第１の態様の可能な実装のいずれか１つにおける方法を実施することを可能にされる。
【００５６】
第５の通信装置は、通信インターフェースをさらに含み得る。第５の通信装置が第１の端末デバイスである場合、通信インターフェースは、第１の端末デバイス内のトランシーバ、たとえば、第１の端末デバイス内の無線周波数トランシーバ構成要素であってよく、または、第５の通信装置が第１の端末デバイス内に配置されたチップである場合、通信インターフェースは、チップの入力／出力インターフェース、たとえば、入力／出力ピンであってよい。
【００５７】
第８の態様によれば、第６の通信装置が提供される。通信装置は、前述の方法設計における第２の通信装置、たとえば、端末デバイス、または第２の端末デバイス内に配置されたチップであってよい。通信装置は、コンピュータ実行可能プログラムコードを記憶するように構成されたメモリと、プロセッサとを含み、プロセッサは、メモリに結合される。メモリ内に記憶されたプログラムコードは、命令を含み、プロセッサが命令を実行したとき、第６の通信装置は、第２の態様または第２の態様の可能な実装のいずれか１つにおける方法を実施することを可能にされる。
【００５８】
第６の通信装置は、通信インターフェースをさらに含み得る。第６の通信装置が第２の端末デバイスである場合、通信インターフェースは、第２の端末デバイス内のトランシーバ、たとえば、第２の端末デバイス内の無線周波数トランシーバ構成要素であってよく、または、第６の通信装置が第２の端末デバイス内に配置されたチップである場合、通信インターフェースは、チップの入力／出力インターフェース、たとえば、入力／出力ピンであってよい。
【００５９】
第９の態様によれば、第１の通信システムが提供される。通信システムは、第３の態様による第１の通信装置、第５の態様による第３の通信装置、または第７の態様による第５の通信装置を含み得、第４の態様による第２の通信装置、第６の態様による第４の通信装置、または第８の態様による第６の通信装置を含み得る。
【００６０】
第１０の態様によれば、コンピュータ記憶媒体が提供される。コンピュータ可読記憶媒体は、命令を記憶し、命令がコンピュータ上で実行されたとき、コンピュータは、第１の態様または第１の態様の可能な設計のいずれか１つによる方法を実施することを可能にされる。
【００６１】
第１１の態様によれば、コンピュータ記憶媒体が提供される。コンピュータ可読記憶媒体は、命令を記憶し、命令がコンピュータ上で実行されたとき、コンピュータは、第２の態様または第２の態様の可能な設計のいずれか１つによる方法を実施することを可能にされる。
【００６２】
第１２の態様によれば、命令を含むコンピュータプログラム製品が提供される。コンピュータプログラム製品は、命令を記憶し、命令がコンピュータ上で実行されたとき、コンピュータは、第１の態様または第１の態様の可能な設計のいずれか１つによる方法を実施することを可能にされる。
【００６３】
第１３の態様によれば、命令を含むコンピュータプログラム製品が提供される。コンピュータプログラム製品は、命令を記憶し、命令がコンピュータ上で実行されたとき、コンピュータは、第２の態様または第２の態様の可能な設計のいずれか１つによる方法を実施することを可能にされる。
【００６４】
ＮＲシステムにおいて、Ｖ２ＸにおけるＰＳＳＣＨ上のＤＭＲＳを構成するためのソリューションが本願の実施形態において提供される。さらに、ＰＳＳＣＨ上のＤＭＲＳが決定されるとき、参照チャネルコヒーレンス時間が選択され得、その結果、ＤＭＲＳに基づいてチャネル推定を実施する精度を改善することができる。
【図面の簡単な説明】
【００６５】
【図１】ＬＴＥシステムにおけるＰＵＳＣＨおよびＰＳＳＣＨのＤＭＲＳ構成ソリューションの概要図である。
【図２】本願の一実施形態によるアプリケーションシナリオの概要図である。
【図３】本願の一実施形態による情報送信および受信方法のフローチャートである。
【図４】本願の一実施形態によるフロントロードＤＭＲＳ構成ソリューションの概要図である。
【図５】本願の一実施形態によるフロントロードＤＭＲＳ構成ソリューションの別の概要図である。
【図６】本願の一実施形態によるフロントロードＤＭＲＳ構成ソリューションと非フロントロードＤＭＲＳ構成ソリューションとの間の比較の概要図である。
【図７】本願の一実施形態によるフレキシブルなＤＭＲＳ構成ソリューションの概要図である。
【図８】本願の一実施形態によるネットワークデバイスの機能を実装することができる通信装置の概要図である。
【図９】本願の一実施形態による端末デバイスの機能を実装することができる通信装置の概要図である。
【図１０Ａ】本願の一実施形態による通信装置の概要図である。
【図１０Ｂ】本願の一実施形態による通信装置の概要図である。
【発明を実施するための形態】
【００６６】
本願の実施形態の目的、技術的解決策、および利点をより明らかにする前に、以下は、さらに本願の実施形態について、添付の図面を参照してより詳細に記載している。
【００６７】
以下は、当業者の理解を容易にするために、本願の実施形態におけるいくつかの用語について記載している。
【００６８】
（１）端末デバイスは、ユーザに音声および／またはデータコネクティビティを提供するデバイスを含み、たとえば、ワイヤレス接続機能を有するハンドヘルドデバイス、またはワイヤレスモデムに接続された処理デバイスを含み得る。端末デバイスは、無線アクセスネットワーク（ｒａｄｉｏ  ａｃｃｅｓｓ  ｎｅｔｗｏｒｋ、ＲＡＮ）を通じてコアネットワークと通信し、音声および／またはデータをＲＡＮと交換し得る。端末デバイスは、ユーザ機器（ｕｓｅｒ  ｅｑｕｉｐｍｅｎｔ、ＵＥ）、ワイヤレス端末デバイス、モバイル端末デバイス、加入者ユニット（ｓｕｂｓｃｒｉｂｅｒ  ｕｎｉｔ）、加入者ステーション（ｓｕｂｓｃｒｉｂｅｒ  ｓｔａｔｉｏｎ）、移動局（ｍｏｂｉｌｅ  ｓｔａｔｉｏｎ）、移動局（ｍｏｂｉｌｅ）、リモートステーション（ｒｅｍｏｔｅ  ｓｔａｔｉｏｎ）、アクセスポイント（ａｃｃｅｓｓ  ｐｏｉｎｔ、ＡＰ）、リモート端末（ｒｅｍｏｔｅ  ｔｅｒｍｉｎａｌ）デバイス、アクセス端末（ａｃｃｅｓｓ  ｔｅｒｍｉｎａｌ）デバイス、ユーザ端末（ｕｓｅｒ  ｔｅｒｍｉｎａｌ）デバイス、ユーザエージェント（ｕｓｅｒ  ａｇｅｎｔ）、ユーザデバイス（ｕｓｅｒ  ｄｅｖｉｃｅ）などを含み得る。たとえば、端末デバイスは、モバイルフォン（「セルラ」フォンとも称される）、モバイル端末デバイスを有するコンピュータ、ポータブルモバイル装置、ポケットサイズモバイル装置、ハンドヘルドモバイル装置、コンピュータに内蔵されたモバイル装置、または車載モバイル装置、およびスマートウェアラブルデバイスを含み得る。たとえば、端末デバイスは、パーソナル通信サービス（ｐｅｒｓｏｎａｌ  ｃｏｍｍｕｎｉｃａｔｉｏｎ  ｓｅｒｖｉｃｅ、ＰＣＳ）フォン、コードレスフォン、セッション開始プロトコル（ｓｅｓｓｉｏｎ  ｉｎｉｔｉａｔｉｏｎ  ｐｒｏｔｏｃｏｌ、ＳＩＰ）フォン、ワイヤレスローカルループ（ｗｉｒｅｌｅｓｓ  ｌｏｃａｌ  ｌｏｏｐ、ＷＬＬ）ステーション、またはパーソナルデジタルアシスタント（ｐｅｒｓｏｎａｌ  ｄｉｇｉｔａｌ  ａｓｓｉｓｔａｎｔ、ＰＤＡ）などのデバイスである。端末デバイスは、限られたデバイス、たとえば、電力消費の少ないデバイス、限られた記憶能力のデバイス、または限られたコンピューティング能力のデバイスをさらに含む。たとえば、端末デバイスは、情報検知デバイス、たとえば、バーコード、無線周波数識別（ｒａｄｉｏ  ｆｒｅｑｕｅｎｃｙ  ｉｄｅｎｔｉｆｉｃａｔｉｏｎ、ＲＦＩＤ）、センサ、全世界測位システム（ｇｌｏｂａｌ  ｐｏｓｉｔｉｏｎｉｎｇ  ｓｙｓｔｅｍ、ＧＰＳ）、またはレーザスキャナであってよい。
【００６９】
限定するものではなく例として、本願の実施形態では、端末デバイスは、代替として、ウェアラブルデバイスであってよい。ウェアラブルデバイスは、ウェアラブルインテリジェントデバイスとも称されることがあり、普段着のインテリジェント設計においてウェアラブル技術を適用することによって開発される眼鏡、手袋、腕時計、衣料、靴などウェアラブルデバイスのための一般用語である。ウェアラブルデバイスは、ユーザが直接着用することができる、またはユーザの衣料またはアクセサリに一体化することができるポータブルデバイスである。ウェアラブルデバイスは、ハードウェアデバイスであるだけでなく、ソフトウェアサポート、データ交換、およびクラウドインタラクションを通じて強力な機能を実装するために使用される。広い意味では、ウェアラブルインテリジェントデバイスは、スマートフォンに依存することなくすべてまたは一部の機能を実装することができる完全装備かつ大型のデバイス、たとえば、スマートウォッチまたはスマートグラス、および１つのタイプのアプリケーション機能だけに焦点を当て、スマートフォンなど他のデバイスと共に働くことを必要とするデバイス、たとえば、身体的兆候を監視するための様々なスマートバンド、スマートヘルメット、またはスマートジュエリを含む。
【００７０】
（２）ネットワークデバイスは、たとえば、基地局（アクセスポイントなど）などアクセスネットワーク（ａｃｃｅｓｓ  ｎｅｔｗｏｒｋ、ＡＮ）デバイスを含み、アクセスネットワーク内にあり１つまたは複数のセルを通じてエアインターフェースの上でワイヤレス端末デバイスと通信するデバイスであってよい。ネットワークデバイスは、受信されるオーバージエアフレームおよびインターネットプロトコル（ＩＰ）パケットを相互に変換し、端末デバイスとアクセスネットワークの残りの部分との間でルータとして働くように構成され得、アクセスネットワークの残りの部分は、ＩＰネットワークを含み得る。ネットワークデバイスは、エアインターフェースの属性管理をさらに調整し得る。たとえば、ネットワークデバイスは、ロングタームエボリューション（ｌｏｎｇ  ｔｅｒｍ  ｅｖｏｌｕｔｉｏｎ、ＬＴＥ）システムまたはＬＴＥアドバンスド（ＬＴＥ−Ａｄｖａｎｃｅｄ、ＬＴＥ−Ａ）システムにおけるイボルブドＮｏｄｅＢ（ＮｏｄｅＢまたはｅＮＢまたはｅ−ＮｏｄｅＢ、ｅｖｏｌｕｔｉｏｎａｌ  ＮｏｄｅＢ）を含み得、第５世代（ｆｉｆｔｈ  ｇｅｎｅｒａｔｉｏｎ、５Ｇ）新無線（ｎｅｗ  ｒａｄｉｏ、ＮＲ）システムにおける次世代ＮｏｄｅＢ（ｎｅｘｔ  ｇｅｎｅｒａｔｉｏｎ  ＮｏｄｅＢ、ｇＮＢ）を含み得、またはクラウドアクセスネットワーク（ｃｌｏｕｄ  ｒａｄｉｏ  ａｃｃｅｓｓ  ｎｅｔｗｏｒｋ、ＣｌｏｕｄＲＡＮ）システムにおける中央ユニット（ｃｅｎｔｒａｌｉｚｅｄ  ｕｎｉｔ、ＣＵ）および分散ユニット（ｄｉｓｔｒｉｂｕｔｅｄ  ｕｎｉｔ、ＤＵ）を含み得る。これは本願の実施形態において限定されない。
【００７１】
（３）Ｖ２Ｘは、将来のＩＴＳの重要な技術であり、Ｖ２Ｖ、Ｖ２Ｉ、およびＶ２Ｐの直接通信、ならびにＶ２Ｎの通信インタラクションを含む。Ｖ２Ｘ技術は、異なるアプリケーションシナリオに十分に適応することができる。リアルタイムの道路状態、道路、および歩行者など交通情報を、通信を通じて得ることができ、交通安全を大きく改善し、混雑を低減し、交通効率を改善する。さらに、Ｖ２Ｘ技術は、自律運転、高度道路交通、インターネットオブビークル革新を低コストで容易に実装するための基礎プラットフォームを提供する。Ｖ２Ｘは、高速モバイルのために特別に設計された通信技術である。最新の規制によれば、６ＧＨｚ周波数帯域において、Ｖ２Ｘ直接通信は、５００ｋｍ／ｈの最大相対速度をサポートすることを必要とする。
【００７２】
（４）チャネルコヒーレンス時間は、ＴCによって表され得、チャネルインパルス応答が不変のままである時間間隔の統計的な平均値である。チャネルコヒーレンス時間は、ドップラースプレッドに反比例し、時間領域において、チャネルの周波数分散の自変特性を記述する。通常、チャネルコヒーレンス時間ＴCを計算するために、以下の式が使用される。
【００７３】
【数１】
2021536713.tif 000003
【００７４】
【数２】
2021536713.tif 000004
【００７５】
ここで、ｆdは最大ドップラー周波数であり、ｖは、伝送端と受信端との間の最大相対速度であり、ｆcは搬送波周波数であり、ｃは光の速度である。
【００７６】
式１および式２によれば、搬送波周波数が６ＧＨｚであり、伝送端と受信端との間の最大相対速度が２８０ｋｍ／ｈであるとき、対応するチャネルコヒーレンス時間は、０．２７２ｍｓであり、伝送端と受信端との間の最大相対速度が５００ｋｍ／ｈに増大されたとき、対応するチャネルコヒーレンス時間は、０．１５２ｍｓに低減される。
【００７７】
（５）チャネル特徴を推定するための主参照信号としてＤＭＲＳが使用され、ＤＭＲＳの構成構造および密度は、自変チャネルの推定能力に直接影響を及ぼす。自変チャネルを比較的正確に推定するために、本願のこの実施形態では、時間領域におけるＤＭＲＳの分散間隔は、チャネルコヒーレンス時間以下であり得る。
【００７８】
（６）副搬送波スペーシング（ｓｕｂ−ｃａｒｒｉｅｒ  ｓｐａｃｉｎｇ、ＳＣＳ）は、ＯＦＤＭシステムにおける周波数領域において２つの隣接する副搬送波の中央位置間またはピーク位置間のスペーシングの値である。たとえば、ＳＣＳは、１５ｋＨｚ、３０ｋＨｚ、６０ｋＨｚ、１２０ｋＨｚ、２４０ｋＨｚ、４８０ｋＨｚなどであり得る。たとえば、異なる副搬送波スペーシングは、２の整数倍となり得る。ＳＣＳは、代替として、別の値になるように設計されてもよいことを理解されたい。たとえば、ＬＴＥシステムにおける副搬送波スペーシングは１５ｋＨｚであり、ＮＲシステムにおける副搬送波スペーシングは、１５ｋＨｚ、３０ｋＨｚ、６０ｋＨｚ、１２０ｋＨｚなどであり得る。
【００７９】
副搬送波スペーシングについては、以下の表１を参照されたい。
【００８０】
【表１】
2021536713.tif 000005
【００８１】
μは、副搬送波スペーシングを示すために使用される。たとえば、μ＝０であるとき、副搬送波スペーシングは１５ｋＨｚであり、μ＝１であるとき、副搬送波スペーシングは３０ｋＨｚである。異なる副搬送波スペーシングに対応するスロットの長さは異なる。１５ｋＨｚの副搬送波スペーシングに対応するスロットの長さは０．５ｍｓ、６０ｋＨｚの副搬送波スペーシングに対応するスロットの長さは０．１２５ｍｓなどである。これに対応して、異なる副搬送波スペーシングに対応する１つのシンボルは、代替として、異なる長さを有してもよい。
【００８２】
（７）「システム」および「ネットワーク」という用語は、本願の実施形態において交換可能に使用されることがある。「複数の」は、２つまたは３つ以上を指す。これに鑑みて、「複数の」は、本願の実施形態において「少なくとも２つ」と理解されてもよい。「少なくとも１つ」は、１つまたは複数、たとえば、１つ、２つ、またはそれ以上と理解されてもよい。たとえば、少なくとも１つを含むとは、１つ、２つ、またはそれ以上を含むことを指し、どの１つ、２つ、またはそれ以上を含むかは限定されない。たとえば、Ａ、Ｂ、およびＣのうちの少なくとも１つが含まれる場合、Ａ、Ｂ、Ｃ、ＡおよびＢ、ＡおよびＣ、ＢおよびＣ、またはＡ、Ｂ、およびＣが含まれてよい。「および／または」は、関連付けられたオブジェクト間の関連関係を表し、３つの関係が存在し得ることを表す。たとえば、Ａおよび／またはＢは、Ａだけがある、ＡもＢもある、Ｂだけがある３つの場合を表し得る。さらに、「／」という文字は、別段指定されない限り、一般に、関連付けられたオブジェクト間の「または」関係を示す。
【００８３】
別段指定されない限り、本願の実施形態において述べられている「第１の」および「第２の」など序数は、複数のオブジェクト間を区別するために使用され、複数のオブジェクトのシーケンス、時間シーケンス、優先順位、または重要性を限定するためには使用されない。たとえば、第１の端末デバイスおよび第２の端末デバイスは、異なる端末デバイス間で区別することが意図されているにすぎず、２つの端末デバイスの機能、優先順位、重要性などを限定することは意図されていない。
【００８４】
本願の実施形態における第１の技術的特徴について記載されている。
【００８５】
Ｖ２Ｘでは、ＰＳＳＣＨは、端末デバイス間の通信のために使用され得る。Ｖ２Ｘ通信のために使用されるサイドリンク（ｓｉｄｅ−ｌｉｎｋ、ＳＬ）はアップリンク（ｕｐ−ｌｉｎｋ、ＵＬ）時間周波数リソースを使用するので、ＬＴＥシステムでは、ＰＳＳＣＨのＤＭＲＳ構成は、基本的にＰＵＳＣＨのＤＭＲＳ構成ソリューションを継承し、差異は、高モビリティシナリオに対処するために、１つのスロット内でＤＭＲＳによって占有されるＯＦＤＭシンボルの数量がＰＵＳＣＨ内の２からＰＳＳＣＨ内の４に増大される点だけにある。図１は、１つのスロット内のＰＵＳＣＨ上のＤＭＲＳの位置と、ＬＴＥ標準における１つのスロット内のＰＳＳＣＨ上のＤＭＲＳの位置との間の比較を提供する。図１では、斜線を有するボックスは、ＤＭＲＳのシンボルを表す。時間領域におけるＤＭＲＳ分散密度を増大することによって、ＬＴＥシステムにおけるＶ２Ｘは、高速アプリケーション要件を十分満たすことができる。
【００８６】
しかし、５ＧＮＲシステムでは、ＰＳＳＣＨのために、ＤＭＲＳ構成ソリューションは提供されていない。
【００８７】
これに鑑みて、本願の実施形態における技術的解決策が提供される。本願の実施形態では、ＰＳＳＣＨ上のｍ個のＤＭＲＳの数量または位置のうちの少なくとも１つは、ＮＲシステムにおけるＶ２ＸにおいてＰＳＳＣＨ上のＤＭＲＳを構成するソリューションを提供するために、副搬送波スペーシング、ＰＳＳＣＨの期間、またはチャネルコヒーレンス時間のうちの少なくとも１つに基づいて決定され得る。
【００８８】
本願の実施形態において提供される技術的解決策は、５ＧＮＲシステムにおいて使用されてよく、またはＬＴＥシステムにおいて使用されてよく、または次世代モバイル通信システムもしくは別の同様の通信システムにおいて使用されてよい。これは特に限定されない。
【００８９】
以下は、本願の一実施形態が使用されるネットワークアーキテクチャについて記載している。図２を参照されたい。
【００９０】
図２は、ネットワークデバイスと、２つの端末デバイスとを含む。２つの端末デバイスはそれぞれ、第１の端末デバイスおよび第２の端末デバイスと称される。車両は、２つの端末デバイス両方の例として使用される。２つの端末デバイスは共に、１つのネットワークデバイスに接続され、２つの端末デバイスは、さらに互いに通信し得る。たとえば、２つの端末デバイスは、ＰＳＳＣＨを通じて互いに通信し得る。当然、図２における端末デバイスの数量は、例にすぎない。実際のアプリケーションでは、ネットワークデバイスは、複数の端末デバイスのためのサービスを提供し得、複数の端末デバイスもまた、互いに通信し得る。
【００９１】
図２におけるネットワークデバイスは、たとえば、基地局などアクセスネットワークデバイスである。アクセスネットワークデバイスは、異なるシステムにおいて異なるデバイスに対応する。たとえば、アクセスネットワークデバイスは、第４世代（４th  ｇｅｎｅｒａｔｉｏｎ、４Ｇ）モバイル通信技術システムにおけるｅＮＢに対応し、５Ｇシステムにおけるアクセスネットワークデバイス、たとえば、ｇＮＢに対応する。
【００９２】
以下は、添付の図面を参照して、本願の実施形態において提供される技術的解決策について記載している。
【００９３】
本願の一実施形態は、情報送信および受信方法を提供する。図３は、本方法のフローチャートである。以下の説明の処理では、本方法が図２に示されているネットワークアーキテクチャのために使用される例が使用される。さらに、本方法は、２つの通信装置によって実施され得る。２つの通信装置は、たとえば、第１の通信装置および第２の通信装置である。第１の通信装置は、ネットワークデバイス、もしくは本方法で必要とされる機能を実装する際にネットワークデバイスをサポートすることができる通信装置であってよく、または、第１の通信装置は、端末デバイス、もしくは本方法で必要とされる機能を実装する際に端末デバイスをサポートすることができる通信装置（たとえば、チップシステム）であってよい。同様に、第２の通信装置は、ネットワークデバイス、もしくは本方法で必要とされる機能を実装する際にネットワークデバイスをサポートすることができる通信装置であってよく、または、第２の通信装置は、端末デバイス、もしくは本方法で必要とされる機能を実装する際に端末デバイスをサポートすることができる通信装置（たとえば、チップシステム）であってよい。さらに、第１の通信装置および第２の通信装置の実装は限定されない。たとえば、第１の通信装置および第２の通信装置は共に端末デバイスであり、または第１の通信装置が端末デバイスであり、第２の通信装置は、本方法で必要とされる機能を実装する際に端末デバイスをサポートすることができる通信装置である。
【００９４】
説明をわかりやすくするために、以下は、本方法が２つの端末デバイスによって実施される例、具体的には、第１の通信装置が端末デバイスであり、第２の通信装置もまた端末デバイスである例を使用する。違いをわかりやすくするために、２つの端末デバイスは、それぞれ第１の端末デバイスおよび第２の端末デバイスと称される。本方法が図２に示されているネットワークアーキテクチャのために使用される例が下記で使用されるので、下記の第１の端末デバイスは、図２に示されているネットワークアーキテクチャにおける第１の端末デバイスであってよく、下記の第２の端末デバイスは、図２に示されているネットワークアーキテクチャにおける第２の端末デバイスであってよい。
【００９５】
Ｓ３１：第１の端末デバイスは、第１の情報に基づいて、ＰＳＳＣＨ上で搬送されるｍ個のＤＭＲＳの数量または位置のうちの少なくとも１つを決定し、ｍは、正の整数であり、第１の情報は、副搬送波スペーシング、ＰＳＳＣＨの期間、またはチャネルコヒーレンス時間のうちの少なくとも１つを含む。
【００９６】
たとえば、第１の端末デバイスが、第１の情報に基づいて、ＰＳＳＣＨ上で搬送されるｍ個のＤＭＲＳの数量または位置のうちの少なくとも１つを決定することは、第１の端末デバイスが、第１の情報に基づいて、ＰＳＳＣＨ上で搬送されるｍ個のＤＭＲＳの数量もしくは位置を決定すること、または第１の端末デバイスが、第１の情報に基づいて、ＰＳＳＣＨ上で搬送されるｍ個のＤＭＲＳの数量および位置を決定することを含む。
【００９７】
ＮＲシステムは、異なる副搬送波スペーシングをサポートし、異なる副搬送波スペーシングに対応するＯＦＤＭシンボルは、異なる長さを有するので、本願のこの実施形態では、第１の情報は、副搬送波スペーシングを含み得る。さらに、ＰＳＳＣＨの期間は、一般に、ＤＭＲＳの数量の決定に関係する。したがって、第１の情報は、ＰＳＳＣＨの期間をも含み得る。ＰＳＳＣＨの期間は、ＰＳＳＣＨの時間長と称されることもあり、またはＰＳＳＣＨの時間領域における期間と称されることがあり、またはＰＳＳＣＨによって占有されるシンボル（ＯＦＤＭシンボルなど、簡潔には、ＯＦＤＭシンボルなど時間領域シンボルが下記でシンボルと称される）の数量と称されることがあり、またはＰＳＳＣＨ内のシンボルの数量と称されるなどである。これは特に限定されない。さらに、自変チャネルを正確に推定するために、時間領域におけるＤＭＲＳの分散間隔は、チャネルコヒーレンス時間以下であるべきである。したがって、第１の情報は、チャネルコヒーレンス時間をさらに含み得る。しかし、本願のこの実施形態では、第１の情報内に特に含まれる内容は、限定されない。たとえば、第１の情報は、副搬送波スペーシング、ＰＳＳＣＨの期間、またはチャネルコヒーレンス時間のうちの少なくとも１つを含む。これは、以下のように理解され得る。たとえば、第１の情報は、副搬送波スペーシング、ＰＳＳＣＨの期間、およびチャネルコヒーレンス時間を含み、または第１の情報は、副搬送波スペーシングおよびチャネルコヒーレンス時間を含み、または第１の情報は、副搬送波スペーシングおよびＰＳＳＣＨの期間を含み、または第１の情報は、ＰＳＳＣＨの期間およびチャネルコヒーレンス時間を含み、または第１の情報は、副搬送波スペーシング、ＰＳＳＣＨの期間、もしくはチャネルコヒーレンス時間を含む。さらに、副搬送波スペーシング、ＰＳＳＣＨの期間、またはチャネルコヒーレンス時間のうちの少なくとも１つに加えて、第１の情報は、ＤＭＲＳの数量および／または位置を決定するためにその情報を使用することができることを条件に、他の情報をさらに含んでもよい。第１の情報内に含まれる具体的な内容は限定されない。
【００９８】
第１の端末デバイスは、第１の情報に基づく異なる方式で、ＰＳＳＣＨ上で搬送されるｍ個のＤＭＲＳの数量または位置のうちの少なくとも１つを決定してもよい。
【００９９】
第１の端末デバイスが、第１の情報に基づいて、ＰＳＳＣＨ上で搬送されるｍ個のＤＭＲＳの数量または位置のうちの少なくとも１つを決定する第１の方式では、第１の端末デバイスは、副搬送波スペーシングに基づいてシンボルの期間を決定し得る。自変チャネルを比較的正確に推定するために、本願のこの実施形態では、時間領域におけるＤＭＲＳの分散間隔は、チャネルコヒーレンス時間以下であり得る。したがって、第１の端末デバイスは、時間領域シンボルの期間およびチャネルコヒーレンス時間に基づいて、ｍ個のＤＭＲＳ内の２つの隣接するＤＭＲＳ間の時間間隔を決定し得、ｍ個のＤＭＲＳ内の２つの隣接するＤＭＲＳ間の時間間隔は、チャネルコヒーレンス時間以下である。第１の端末デバイスは、ＰＳＳＣＨの期間、およびｍ個のＤＭＲＳ内の２つの隣接するＤＭＲＳ間の時間間隔に基づいて、ｍ個のＤＭＲＳの数量または位置のうちの少なくとも１つをさらに決定する。たとえば、第１の端末デバイスは、ＰＳＳＣＨの期間、およびｍ個のＤＭＲＳ内の２つの隣接するＤＭＲＳ間の時間間隔に基づいて、ｍの値およびＰＳＳＣＨ上のｍ個のＤＭＲＳの位置を決定し得る。
【０１００】
第１の方式では、第１の端末デバイスは、第１の情報に基づいて、ｍ個のＤＭＲＳの数量または位置のうちの少なくとも１つを直接計算する。この場合、第１の端末デバイスの実装を単純化するために、本願のこの実施形態は、第１の端末デバイスが、第１の情報に基づいて、ＰＳＳＣＨ上で搬送されるｍ個のＤＭＲＳの数量または位置のうちの少なくとも１つを決定する方式、具体的には第２の方式をさらに提供する。第２の方式では、第１の端末デバイスは、第１の情報、およびＤＭＲＳと副搬送波スペーシング、ＰＳＳＣＨの期間、またはチャネルコヒーレンス時間のうちの少なくとも１つとの間の事前構成された対応関係に基づいて、ｍ個のＤＭＲＳの数量または位置のうちの少なくとも１つを決定し得る。すなわち、ＤＭＲＳと副搬送波スペーシング、ＰＳＳＣＨの期間、またはチャネルコヒーレンス時間のうちの少なくとも１つとの間の対応関係は、事前構成されており、その結果、第１の端末デバイスは、第１の情報を知ることを必要とするだけであり、次いで、第１の情報および対応関係に基づいて、ｍ個のＤＭＲＳの数量または位置のうちの少なくとも１つを直接決定し得る。ＤＭＲＳと副搬送波スペーシング、ＰＳＳＣＨの期間、またはチャネルコヒーレンス時間のうちの少なくとも１つとの間の対応関係は、ＤＭＲＳの数量または位置のうちの少なくとも１つと、副搬送波スペーシング、ＰＳＳＣＨの期間、またはチャネルコヒーレンス時間のうちの少なくとも１つとの間の対応関係として理解されてよい。
【０１０１】
たとえば、ＤＭＲＳの数量および位置と副搬送波スペーシング、ＰＳＳＣＨの期間、およびチャネルコヒーレンス時間との間の対応関係が事前構成されている場合、第１の端末デバイスは、対応関係と、副搬送波スペーシング、ＰＳＳＣＨの期間、およびチャネルコヒーレンス時間とに基づいてｍ個のＤＭＲＳの数量および位置を決定してよく、または第１の端末デバイスは、対応関係と、副搬送波スペーシングおよびＰＳＳＣＨの期間とに基づいて、ｍ個のＤＭＲＳの数量および位置を決定してよい。あるいは、副搬送波スペーシングおよびＰＳＳＣＨの期間とＤＭＲＳの数量および位置との間の対応関係が事前構成されている場合、第１の端末デバイスは、対応関係と、副搬送波スペーシングおよびＰＳＳＣＨの期間とに基づいて、ｍ個のＤＭＲＳの数量および位置を決定してよい。第２の方式では、第１の端末デバイスの動作処理を効果的に単純化することができ、ｍ個のＤＭＲＳの数量または位置のうちの少なくとも１つを決定する効率を改善することができる。たとえば、対応関係は、プロトコルを使用することによって指定され、または、端末デバイスのためにネットワークデバイスによって事前構成され、または端末デバイスによって構成され、次いで別の端末デバイスに通知される。この場合、対応関係を構成する端末デバイスは、第１の端末デバイスであってよく、または別の端末デバイスであってよい。表２は、対応関係の例を示す。
【０１０２】
【表２】
2021536713.tif 000006
【０１０３】
表２は、副搬送波スペーシングおよびＰＳＳＣＨの期間とＤＭＲＳの数量および位置との間の対応関係として理解されてよい。しかし、対応関係の設定中、ＤＭＲＳの位置が決定されることを必要とするので、チャネルコヒーレンス時間もまた使用される。したがって、表２は、ＤＭＲＳの数量および位置と、副搬送波スペーシングおよびＰＳＳＣＨの期間と、チャネルコヒーレンス時間との間の対応関係として理解されてもよい。表２では、ＤＭＲＳ位置の列内で、第１の行の水平座標における０から５は、ＤＭＲＳの位置または数量の代わりにポインタと考えられ得る。３、６、および９など以下の行内の数は、ＤＭＲＳによって占有されるシンボルの位置と考えられ得る。たとえば、３は、そのシーケンス番号が３であるシンボルが占有されることを示す。たとえば、副搬送波スペーシングは１５ｋＨｚである。ＰＳＳＣＨの期間が３つのシンボルである場合、ＤＭＲＳ位置は、そのシーケンス番号が０であるシンボルを占有する唯一のＤＭＲＳを含み、次いでそのＤＭＲＳは、ＰＳＳＣＨ全体をカバーし得る。すなわち、ｍ個のＤＭＲＳの数量は１、すなわちｍ＝１である。あるいは、副搬送波スペーシングは１５ｋＨｚである。ＰＳＳＣＨの期間が６個のシンボルである場合、ＤＭＲＳ位置は、そのシーケンス番号が０であるシンボルを占有する唯一のＤＭＲＳを含むことは不十分であり、なぜなら、ＤＭＲＳが位置するシンボルとＰＳＳＣＨ内の最後のシンボルとの間の時間間隔がチャネルコヒーレンス時間より大きいからである。したがって、そのシーケンス番号が３であるシンボルを占有する１つのＤＭＲＳがさらに含まれる。すなわち、ｍ個のＤＭＲＳの数量は２、すなわちｍ＝２である。本明細書におけるシンボルのシーケンス番号は、ＰＳＳＣＨによって占有されるシンボルのシーケンス番号が時間領域シーケンスにおける０から開始する例を使用することによって書かれている。
【０１０４】
表２をよりよく理解するために、図４を参照されたい。図４は、表２に示されている対応関係のいくつかの場合の概要図である。図４では、斜線で描かれたボックスは、ＤＭＲＳによって占有されるシンボルを表し、水平線で描かれたボックスは、ＰＳＳＣＨによって占有されないシンボルを表し、空白のボックスによって表されたシンボル、およびＤＭＲＳによって占有されるシンボルは、ＰＳＳＣＨによって占有されるシンボルである。１５ｋＨｚ副搬送波スペーシングが例として使用されている。この場合、１つのシンボルの期間は、７１．４μｓである（標準的なサイクリックプレフィックス（ｃｙｃｌｉｃ  ｐｒｅｆｉｘ、ＣＰ）が使用されるとき）。チャネルコヒーレンス時間が０．１５２ｍｓである場合、ｍ個のＤＭＲＳ内の隣接するＤＭＲＳ間の時間間隔は、時間領域間隔が０．１５２ｍｓ未満であるチャネルコヒーレンス時間を確保するために、２つのシンボルより大きくなるべきでなく、ＤＭＲＳの数量は、可能な限り低減されることを必要とする。したがって、図４では、副搬送波スペーシングが１５ｋＨｚであるとき、２つの隣接するＤＭＲＳ間の時間間隔は、２つのシンボルであり、２つのシンボルより大きくなく、チャネルコヒーレンス時間未満であり、２つの隣接するＤＭＲＳ間の時間間隔は、１つのシンボルに設定されず、その結果、ＤＭＲＳの分散は、可能な限り過剰に密でなく、それによりＰＳＳＣＨの伝送を改善することがわかる。しかし、ＰＳＳＣＨが位置するスロットの長さが継続的に増大するにつれて、ＤＭＲＳの数量は、それに対応して増大されることを必要とする。たとえば、副搬送波スペーシングは１５ｋＨｚである。ＰＳＳＣＨの期間が９個のシンボルである場合、ＤＭＲＳの数量は３であり、３つのＤＭＲＳがそれぞれ、そのシーケンス番号が０であるシンボル、そのシーケンス番号が３であるシンボル、およびそのシーケンス番号が６であるシンボル、すなわち、ＰＳＳＣＨ内の第１のシンボル、ＰＳＳＣＨ内の第４のシンボル、およびＰＳＳＣＨ内の第７のシンボルを占有する。あるいは、副搬送波スペーシングは６０ｋＨｚである。ＰＳＳＣＨの期間が８個のシンボルである場合、ＤＭＲＳの数量は１であり、１つのＤＭＲＳが、そのシーケンス番号が０であるシンボル、すなわち、ＰＳＳＣＨ内の第１のシンボルを占有する。ＰＳＳＣＨの期間が１４個のシンボルである場合、ＤＭＲＳの数量は２であり、２つのＤＭＲＳがそれぞれ、そのシーケンス番号が０であるシンボル、およびそのシーケンス番号が８であるシンボル、すなわち、ＰＳＳＣＨ内の第１のシンボル、およびＰＳＳＣＨ内の第９のシンボルを占有する。残りは類推によって推測することができる。詳細は再度記載されていない。
【０１０５】
当然、第１の端末デバイスが、第１の情報に基づいてＰＳＳＣＨ上で搬送されるｍ個のＤＭＲＳの数量または位置のうちの少なくとも１つを決定するとき、第２の方式を使用せず、上記の第１の方式を使用する場合、決定結果は、やはり表２または図４における結果と同じになり得る。
【０１０６】
ＰＳＳＣＨ上のｍ個のＤＭＲＳの位置を決定することは、別の要素、具体的には、ｍ個のＤＭＲＳ内の時間領域における第１のＤＭＲＳの位置を決定することにさらに関係する。第１のＤＭＲＳの位置が決定された後、後続のＤＭＲＳの位置が引き続いて決定され得る。
【０１０７】
本願のこの実施形態では、復号処理を加速し、レイテンシを低減するために、フロントロードＤＭＲＳ構成ソリューションが使用され得る。すなわち、ｍ個のＤＭＲＳ内の時間領域における第１のＤＭＲＳは、可能な限りＰＳＳＣＨの先頭に配置され得る。これは、復号処理を加速し、伝送レイテンシを低減する助けとなる。しかし、要件に従って、ＮＲシステムでは、ＰＳＳＣＨ内の第１のシンボルは、データまたは自動利得制御（ａｕｔｏｍａｔｉｃ  ｇａｉｎ  ｃｏｎｔｒｏｌ、ＡＧＣ）として構成され得る。これらの２つの場合、フロントロードＤＭＲＳ構成ソリューションはわずかに異なる。以下は、２つの場合について別々に記載されている。
【０１０８】
１．ＰＳＳＣＨ内の第１のシンボルは、データによって占有される。
【０１０９】
ＰＳＳＣＨ内の第１のシンボルがデータによって占有されることは、ＰＳＳＣＨ内の第１のシンボルがＡＧＣによって占有されないことと理解されてもよい。この場合、フロントロードＤＭＲＳ構成が本願のこの実施形態で使用されるので、ｍ個のＤＭＲＳ内の時間領域における第１のＤＭＲＳは、ＰＳＳＣＨ内の第１のシンボルを占有し得る。これは、表２および図４において例として使用されている。
【０１１０】
２．ＰＳＳＣＨ内の第１のシンボルは、ＡＧＣによって占有される。
【０１１１】
ＰＳＳＣＨ内の第１のシンボルがＡＧＣによって占有されるので、ＤＭＲＳはＰＳＳＣＨ内の第１のシンボルを占有することができないことは明らかである。したがって、ＤＭＲＳは、それに応じて後方に移動され得る。たとえば、ｍ個のＤＭＲＳ内の時間領域における第１のＤＭＲＳは、ＰＳＳＣＨ内の第２のシンボルを占有し得る。当然、ＰＳＳＣＨ内の第２のシンボルもまた、ＤＭＲＳ以外の別の信号によって占有される場合、ＤＭＲＳは、さらに後方に移動され得る。本明細書では、ｍ個のＤＭＲＳ内の時間領域における第１のＤＭＲＳがＰＳＳＣＨ内の第２のシンボルを占有する例が使用されている。
【０１１２】
第１の端末デバイスが上記の第１の方式において第１の情報に基づいて、ＰＳＳＣＨ上で搬送されるｍ個のＤＭＲＳの数量または位置のうちの少なくとも１つを決定する場合、第１の端末デバイスは、ＰＳＳＣＨ内の第１のシンボルがＡＧＣによって占有されるかどうかに応じて、ｍ個のＤＭＲＳ内の時間領域における第１のＤＭＲＳの位置を決定し得、また、第１の情報に基づいて、ｍ個のＤＭＲＳの数量または位置のうちの少なくとも１つを直接決定し得る。第１の端末デバイスが上記の第２の方式において第１の情報に基づいて、ＰＳＳＣＨ上で搬送されるｍ個のＤＭＲＳの数量または位置のうちの少なくとも１つを決定する場合、ｍ個のＤＭＲＳ内の時間領域における第１のＤＭＲＳがＰＳＳＣＨ内の第２のシンボルを占有するとき、対応関係の例については、表３を参照されたい。
【０１１３】
【表３】
2021536713.tif 000007
【０１１４】
表３は、副搬送波スペーシングおよびＰＳＳＣＨの期間とＤＭＲＳの数量および位置との間の対応関係として理解されてよい。しかし、対応関係の設定中、ＤＭＲＳの位置が決定されることを必要とするので、チャネルコヒーレンス時間もまた使用される。したがって、表３は、ＤＭＲＳの数量および位置と、副搬送波スペーシングおよびＰＳＳＣＨの期間と、チャネルコヒーレンス時間との間の対応関係として理解されてもよい。表３では、ＤＭＲＳ位置の列内で、第１の行の水平座標における０から５は、ＤＭＲＳの位置または数量の代わりにポインタと考えられ得る。３、６、および９など以下の行内の数は、ＤＭＲＳによって占有されるシンボルの位置と考えられ得る。たとえば、３は、そのシーケンス番号が３であるシンボルが占有されることを示す。たとえば、副搬送波スペーシングは１５ｋＨｚである。ＰＳＳＣＨの期間が４個のシンボルである場合、ＤＭＲＳ位置は、そのシーケンス番号が１であるシンボルを占有する唯一の１つのＤＭＲＳを含み、次いでそのＤＭＲＳは、ＰＳＳＣＨ全体をカバーし得る。すなわち、ｍ個のＤＭＲＳの数量は１、すなわちｍ＝１である。あるいは、副搬送波スペーシングは１５ｋＨｚである。ＰＳＳＣＨの期間７個のシンボルである場合、ＤＭＲＳ位置は、そのシーケンス番号が１であるシンボルを占有する唯一のＤＭＲＳを含むことは不十分であり、なぜなら、ＤＭＲＳが位置するシンボルとＰＳＳＣＨ内の最後のシンボルとの間の時間間隔がチャネルコヒーレンス時間より大きいからである。したがって、そのシーケンス番号が４であるシンボルを占有する１つのＤＭＲＳがさらに含まれる。すなわち、ｍ個のＤＭＲＳの数量は２、すなわちｍ＝２である。本明細書におけるシンボルのシーケンス番号は、ＰＳＳＣＨによって占有されるシンボルのシーケンス番号が時間領域シーケンスにおける０から開始する例を使用することによって書かれている。
【０１１５】
表３をよりよく理解するために、図５を参照されたい。図５は、表３に示されている対応関係のいくつかの場合の概要図である。図５では、「／」で描かれたボックスは、ＤＭＲＳによって占有されるシンボルを表し、「＼」で描かれたボックスは、ＡＧＣによって占有されるシンボルを表し、水平線で描かれたボックスは、ＰＳＳＣＨによって占有されないシンボルを表し、空白のボックスによって表されたシンボル、およびＤＭＲＳによって占有されるシンボルは、ＰＳＳＣＨによって占有されるシンボルである。１５ｋＨｚ副搬送波スペーシングが例として使用されている。この場合、１つのシンボルの期間は、７１．４μｓである（標準的なサイクリックプレフィックス（ｃｙｃｌｉｃ  ｐｒｅｆｉｘ、ＣＰ）が使用されるとき）。チャネルコヒーレンス時間が０．１５２ｍｓである場合、ｍ個のＤＭＲＳ内の隣接するＤＭＲＳ間の時間間隔は、時間領域間隔が０．１５２ｍｓ未満であるチャネルコヒーレンス時間を確保するために、２つのシンボルより大きくなるべきでなく、ＤＭＲＳの数量は、可能な限り低減されることを必要とする。したがって、図５では、副搬送波スペーシングが１５ｋＨｚであるとき、２つの隣接するＤＭＲＳ間の時間間隔は、２つのシンボルであり、２つのシンボルより大きくなく、チャネルコヒーレンス時間未満であり、２つの隣接するＤＭＲＳ間の時間間隔は、１つのシンボルに設定されず、その結果、ＤＭＲＳの分散は、可能な限り過剰に密でなく、それによりＰＳＳＣＨの伝送を改善することがわかる。しかし、ＰＳＳＣＨが位置するスロットの長さが継続的に増大するにつれて、ＤＭＲＳの数量は、それに対応して増大されることを必要とする。たとえば、副搬送波スペーシングは１５ｋＨｚである。ＰＳＳＣＨの期間が１０個のシンボルである場合、ＤＭＲＳの数量は３であり、３つのＤＭＲＳがそれぞれ、そのシーケンス番号が１であるシンボル、そのシーケンス番号が４であるシンボル、およびそのシーケンス番号が７であるシンボル、すなわち、ＰＳＳＣＨ内の第２のシンボル、ＰＳＳＣＨ内の第５のシンボル、およびＰＳＳＣＨ内の第８のシンボルを占有する。あるいは、副搬送波スペーシングは６０ｋＨｚである。ＰＳＳＣＨの期間が９個のシンボルである場合、ＤＭＲＳの数量は１であり、１つのＤＭＲＳが、そのシーケンス番号が１であるシンボル、すなわち、ＰＳＳＣＨ内の第２のシンボルを占有する。ＰＳＳＣＨの期間が１４個のシンボルである場合、ＤＭＲＳの数量は２であり、２つのＤＭＲＳがそれぞれ、そのシーケンス番号が１であるシンボル、およびそのシーケンス番号が９であるシンボル、すなわち、ＰＳＳＣＨ内の第２のシンボル、およびＰＳＳＣＨ内の第１０のシンボルを占有する。残りは類推によって推測することができる。詳細は再度記載されていない。
【０１１６】
当然、第１の端末デバイスが、第１の情報に基づいてＰＳＳＣＨ上で搬送されるｍ個のＤＭＲＳの数量または位置のうちの少なくとも１つを決定するとき、第２の方式を使用せず、上記の第１の方式を使用する場合、決定結果は、やはり表３または図５における結果と同じになり得る。
【０１１７】
本願のこの実施形態では、ＰＳＳＣＨ、および第１の端末デバイスによって伝送される物理サイドリンク制御チャネル（ｐｈｙｓｉｃａｌ  ｓｉｄｅｌｉｎｋ  ｃｏｎｔｒｏｌ  ｃｈａｎｎｅｌ、ＰＳＣＣＨ）は、時分割多重（ｔｉｍｅ  ｄｉｖｉｓｉｏｎ  ｍｕｌｔｉｐｌｅｘｉｎｇ、ＴＤＭまたはＴＤＭｅｄ）モードまたは周波数分割多重（ｆｒｅｑｕｅｎｃｙ  ｄｉｖｉｓｉｏｎ  ｍｕｌｔｉｐｌｅｘｉｎｇ、ＦＤＭまたはＦＤＭｅｄ）モードにあってよい。ＰＳＳＣＨおよびＰＳＣＣＨがＴＤＭモードにある場合、上記のフロントロードＤＭＲＳ構成ソリューションを使用することは、復号処理を加速し、伝送レイテンシを低減する助けとなることができる。しかし、ＰＳＳＣＨおよびＰＳＣＣＨがＦＤＭモードにある場合、復号処理は、前述のフロントロードＤＭＲＳ構成ソリューションが引き続き使用される場合もはや加速されることが可能でないことがある。さらに、高速シナリオに対処するために、フロントロードＤＭＲＳ構成ソリューションは、ＤＭＲＳの比較的大きな数量を必要とし得、これは、ＤＭＲＳオーバーヘッドを増大する。この場合、本願の一実施形態は、非フロントロードＤＭＲＳ構成ソリューションまたはフレキシブルなＤＭＲＳ構成ソリューションと称されることがある別のＤＭＲＳ構成ソリューションを提供する。ＰＳＳＣＨ上で搬送される、時間領域における第１のＤＭＲＳは、ＰＳＳＣＨ内の第１のシンボルにおいて搬送されない。たとえば、図６を参照すると、図６における第１の行は、フロントロードＤＭＲＳ構成ソリューションを表し、図６における第２の行は、本願のこの実施形態で提供される非フロントロードＤＭＲＳ構成ソリューションを表す。同じチャネルコヒーレンス時間の条件下では、ＤＭＲＳオーバーヘッドから見て、フロントロードＤＭＲＳ構成ソリューションは、より多くのＤＭＲＳを必要とすることがわかる。したがって、フロントロードＤＭＲＳ構成ソリューションが比較的大きなＤＭＲＳオーバーヘッドを引き起こし得ることを考えて、また、ＰＳＳＣＨおよびＰＳＣＣＨがＦＤＭモードにある場合、復号処理は、前述のフロントロードＤＭＲＳ構成ソリューションが引き続き使用される場合もはや加速されることが可能でないことがあり、本願のこの実施形態は、以下の解決策を提案する。ＰＳＳＣＨおよびＰＳＣＣＨがＦＤＭモードにある場合、フロントロードＤＭＲＳ構成ソリューションは使用されなくてよく、本願のこの実施形態で提供されるフレキシブルなＤＭＲＳ構成ソリューション、が使用される。すなわち、前述のフロントロードＤＭＲＳ構成ソリューションは、ＰＳＳＣＨおよびＰＳＣＣＨがＴＤＭモードにあるとき使用され得る。以下は、ＰＳＳＣＨおよびＰＳＣＣＨがＦＤＭモードにあるとき使用することができるフレキシブルなＤＭＲＳ構成ソリューションについて記載している。
【０１１８】
ｍ個のＤＭＲＳの数量または位置のうちの少なくとも１つを決定する前に、第１の端末デバイスは、最初にＰＳＳＣＨおよび第１の端末デバイスによって伝送されるＰＳＣＣＨがＴＤＭモードまたはＦＤＭモードにあるかどうか決定し得る。ＰＳＳＣＨおよびＰＳＣＣＨがＴＤＭモードにある場合、第１の端末デバイスは、上記のフロントロードＤＭＲＳ構成ソリューションを使用すると決定してよい。すなわち、ＰＳＳＣＨ内の第１のシンボルがＡＧＣによって占有される場合、第１の端末デバイスは、ｍ個のＤＭＲＳ内の時間領域における第１のＤＭＲＳがＰＳＳＣＨ内の第２のシンボルを占有すると決定し、または、ＰＳＳＣＨ内の第１のシンボルがＡＧＣによって占有されない場合、第１の端末デバイスは、ｍ個のＤＭＲＳ内の時間領域における第１のＤＭＲＳがＰＳＳＣＨ内の第１のシンボルを占有すると決定する。あるいは、ＰＳＳＣＨおよび第１の端末デバイスによって伝送されるＰＳＣＣＨがＦＤＭモードにある場合、第１の端末デバイスは、ｍ個のＤＭＲＳ内の時間領域における第１のＤＭＲＳの位置を決定するために、下記のフレキシブルなＤＭＲＳ構成ソリューションを使用すると決定してよい。あるいは、第１の端末デバイスは、ＰＳＳＣＨおよび第１の端末デバイスによって伝送されるＰＳＣＣＨがＴＤＭモードまたはＦＤＭモードにあるかどうか決定する動作を実施しなくてよい。たとえば、ＰＳＳＣＨおよび第１の端末デバイスによって伝送されるＰＳＣＣＨがＴＤＭモードまたはＦＤＭモードにあるかどうかは事前決定されており、第１の端末デバイスはこれをすでに知っている。したがって、第１の端末デバイスは、この決定を実施することを必要とせず、それに対応してフロントロードＤＭＲＳ構成ソリューションまたはフレキシブルなＤＭＲＳ構成ソリューションを使用することを必要とするだけである。
【０１１９】
フレキシブルなＤＭＲＳ構成ソリューションでは、第１の端末デバイスが第１の情報に基づいてｍ個のＤＭＲＳの数量または位置のうちの少なくとも１つを決定する方式は、前述の方式と同じであり、この決定は、前述の第１の方式または第２の方式で実施されてよい。これは、このソリューションでは、前述のフロントロードＤＭＲＳ構成ソリューションとの差異が、ｍ個のＤＭＲＳ内の時間領域における第１のＤＭＲＳによって占有されるシンボルの位置が異なることであることとして理解されてよい。このソリューションでは、ｍ個のＤＭＲＳ内の時間領域における第１のＤＭＲＳは、そのシーケンス番号がＰＳＳＣＨ内のｎであるシンボルを占有し、そのシーケンス番号がＰＳＳＣＨ内の０からｎ−１であるｎ個のシンボルの総期間は、チャネルコヒーレンス時間以下であり、ｎは正の整数である。たとえば、ＰＳＳＣＨによって占有されるシンボルのシーケンス番号が時間領域シーケンスにおける０から開始する場合、そのシーケンス番号がｎであるシンボルは、ＰＳＳＣＨ内の第（ｎ＋１）のシンボルであるべきである。たとえば、ｎ＝３であり、ＰＳＳＣＨによって占有されるシンボルのシーケンス番号が０から開始する場合、そのシーケンス番号がＰＳＳＣＨ内の３であるシンボルは、ＰＳＳＣＨ内の第４のシンボルであるべきである。たとえば、ｎの値は、プロトコルにおいて指定され、または、端末デバイスのためにネットワークデバイスによって構成され、または、端末デバイスによって構成され、別の端末デバイスに通知される。ｎの値が端末デバイスによって構成される場合、ｎの値を構成する端末デバイスは、第１の端末デバイスであってよく、または別の端末デバイスであってよい。
【０１２０】
第１の端末デバイスが上記の第１の方式において第１の情報に基づいて、ＰＳＳＣＨ上で搬送されるｍ個のＤＭＲＳの数量または位置のうちの少なくとも１つを決定する場合、第１の端末デバイスは、ｎの値を決定する、具体的には、ｍ個のＤＭＲＳ内の時間領域における第１のＤＭＲＳの位置を決定し得、または第１の情報に基づいて、ｍ個のＤＭＲＳの数量または位置のうちの少なくとも１つを直接決定し得る。第１の端末デバイスが上記の第２の方式において第１の情報に基づいて、ＰＳＳＣＨ上で搬送されるｍ個のＤＭＲＳの数量または位置のうちの少なくとも１つを決定する場合、ｍ個のＤＭＲＳ内の時間領域における第１のＤＭＲＳがそのシーケンス番号がＰＳＳＣＨ内のｎであるシンボルを占有するとき、対応関係の例については、表４を参照されたい。
【０１２１】
【表４】
2021536713.tif 000008
【０１２２】
表４におけるＮは、表４における第２の列内のＰＳＳＣＨの期間を示す。ＤＭＲＳ位置の列内の式は、ｎの値を計算するために使用される。
【０１２３】
【数３】
2021536713.tif 000009
【０１２４】
は、Ｘが丸められることを示す。たとえば、ＰＳＳＣＨの期間が８個のシンボル、すなわち、Ｎ＝８である場合、ＤＭＲＳは、ＰＳＳＣＨによって占有されるシンボル内でそのシーケンス番号が３であるシンボルを占有する。
【０１２５】
表４は、副搬送波スペーシングおよびＰＳＳＣＨの期間とＤＭＲＳの数量および位置との間の対応関係として理解されてよい。しかし、対応関係の設定中、ＤＭＲＳの位置が決定されることを必要とするので、チャネルコヒーレンス時間もまた使用される。したがって、表４は、ＤＭＲＳの数量および位置と、副搬送波スペーシングおよびＰＳＳＣＨの期間と、チャネルコヒーレンス時間との間の対応関係として理解されてもよい。表４の関連の説明については、表２または表３の前述の説明を参照されたい。詳細は再度記載されていない。
【０１２６】
表４をよりよく理解するために、図７を参照されたい。図７は、表５に示されている対応関係のいくつかの場合の概要図である。図７では、斜線で描かれたボックスは、ＤＭＲＳによって占有されるシンボルを表し、水平線で描かれたボックスは、ＰＳＳＣＨによって占有されないシンボルを表し、空白のボックスによって表されたシンボル、およびＤＭＲＳによって占有されるシンボルは、ＰＳＳＣＨによって占有されるシンボルである。１５ｋＨｚ副搬送波スペーシングが例として使用されている。この場合、１つのシンボルの期間は、７１．４μｓである（標準的なサイクリックプレフィックス（ｃｙｃｌｉｃ  ｐｒｅｆｉｘ、ＣＰ）が使用されるとき）。チャネルコヒーレンス時間が０．１５２ｍｓである場合、ｍ個のＤＭＲＳ内の隣接するＤＭＲＳ間の時間間隔は、時間領域間隔が０．１５２ｍｓ未満であるチャネルコヒーレンス時間を確保するために、２つのシンボルより大きくなるべきでなく、ＤＭＲＳの数量は、可能な限り低減されることを必要とする。したがって、図７では、副搬送波スペーシングが１５ｋＨｚであるとき、２つの隣接するＤＭＲＳ間の時間間隔は、２つのシンボルであり、２つのシンボルより大きくなく、チャネルコヒーレンス時間未満であり、２つの隣接するＤＭＲＳ間の時間間隔は、１つのシンボルに設定されず、その結果、ＤＭＲＳの分散は、可能な限り過剰に密でなく、それによりＰＳＳＣＨの伝送を改善することがわかる。さらに、フレキシブルなＤＭＲＳ構成ソリューションが図７で使用されている。したがって、ｍ個のＤＭＲＳ内の時間領域における第１のＤＭＲＳは、ＰＳＳＣＨ内の第１の時間領域シンボルを占有しない。この場合、チャネルコヒーレンス時間もまた考慮されることを必要とし、その結果、ｍ個のＤＭＲＳ内の時間領域における第１のＤＭＲＳは、ＰＳＳＣＨ内の第１の時間領域シンボルをカバーすることができる。したがって、ＰＳＳＣＨ内のそのシーケンス番号が０からｎ−１であるｎ個のシンボルの総期間は、チャネルコヒーレンス時間以下となり得る。副搬送波スペーシングが１５ｋＨｚである例も依然として使用されている。図７では、ｍ個のＤＭＲＳ内の第１のＤＭＲＳは、ＰＳＳＣＨ内のそのシーケンス番号が２であるシンボル、すなわち、ＰＳＳＣＨ内の第３のシンボルを占有する。ＰＳＳＣＨ内の第１のシンボルおよび第２のシンボル（すなわち、そのシーケンス番号が０であるシンボル、およびそのシーケンス番号が１であるシンボル）の総期間は、２つのシンボルであり、チャネルコヒーレンス時間以下である。しかし、ＰＳＳＣＨが位置するスロットの長さが継続的に増大するにつれて、ＤＭＲＳの数量は、それに対応して増大されることを必要とする。たとえば、副搬送波スペーシングは１５ｋＨｚである。ＰＳＳＣＨの期間が１１個のシンボルである場合、ＤＭＲＳの数量は３であり、３つのＤＭＲＳはそれぞれ、そのシーケンス番号が２であるシンボル、そのシーケンス番号が５であるシンボル、およびそのシーケンス番号が８であるシンボル、すなわち、ＰＳＳＣＨ内の第３のシンボル、ＰＳＳＣＨ内の第６のシンボル、およびＰＳＳＣＨ内の第９のシンボルを占有する。あるいは、副搬送波スペーシングは６０ｋＨｚであ��。ＰＳＳＣＨの期間が１４個のシンボル以下である場合、ＤＭＲＳの数量は１であり、１つのＤＭＲＳは、そのシーケンス番号が６であるシンボル、すなわち、ＰＳＳＣＨ内の第７のシンボルを占有する。
【０１２７】
当然、第１の端末デバイスが、第１の情報に基づいてＰＳＳＣＨ上で搬送されるｍ個のＤＭＲＳの数量または位置のうちの少なくとも１つを決定するとき、第２の方式を使用せず、上記の第１の方式を使用する場合、決定結果は、やはり表４または図７における結果と同じになり得る。
【０１２８】
たとえば、図７は、図４または図５と比較され得る。副搬送波スペーシングが１５ｋＨｚである例が使用されている。フレキシブルなＤＭＲＳ構成ソリューションが使用されるので、ＰＳＳＣＨの期間が｛４，５，７，８，１０，１１，１３，１４｝であるとき、フロントロードＤＭＲＳソリューションと比較して、このソリューションは、１つのＤＭＲＳのオーバーヘッドを低減することができ、これは、ＰＳＳＣＨの伝送効率を改善する助けとなる。
【０１２９】
Ｓ３２：第２の端末デバイスは、第１の情報に基づいて、ＰＳＳＣＨ上で搬送されるｍ個のＤＭＲＳの数量または位置のうちの少なくとも１つを決定し、ｍは、正の整数であり、第１の情報は、副搬送波スペーシング、ＰＳＳＣＨの期間、またはチャネルコヒーレンス時間のうちの少なくとも１つを含む。
【０１３０】
ＰＳＳＣＨを受信するために、第２の端末デバイスは、最初に、第１の情報に基づいて、ＰＳＳＣＨ上で搬送されるｍ個のＤＭＲＳの数量または位置のうちの少なくとも１つを決定し得る。
【０１３１】
ｍ個のＤＭＲＳの数量または位置のうちの少なくとも１つを決定する前に、第２の端末デバイスは、最初に、ＰＳＳＣＨ、および第２の端末デバイスによって伝送されるＰＳＣＣＨがＴＤＭモードまたはＦＤＭモードにあるかどうか決定し得る。ＰＳＣＣＨおよびＰＳＳＣＨがＴＤＭモードにある場合、第２の端末デバイスは、上記のフロントロードＤＭＲＳ構成ソリューションを使用すると決定してよい。すなわち、ＰＳＳＣＨ内の第１のシンボルがＡＧＣによって占有される場合、第２の端末デバイスは、ｍ個のＤＭＲＳ内の時間領域における第１のＤＭＲＳがＰＳＳＣＨ内の第２のシンボルを占有すると決定し、ＰＳＳＣＨによって占有されるシンボルのシーケンス番号が時間領域シーケンスにおける０から開始する場合、ＰＳＳＣＨ内の第２のシンボルは、そのシーケンス番号が１であるシンボルであり、または、ＰＳＳＣＨ内の第１のシンボルがＡＧＣによって占有されない場合、第２の端末デバイスは、ｍ個のＤＭＲＳ内の時間領域における第１のＤＭＲＳがＰＳＳＣＨ内の第１のシンボルを占有すると決定する。あるいは、ＰＳＳＣＨ、および第２の端末デバイスによって伝送されるＰＳＣＣＨがＦＤＭモードにある場合、第２の端末デバイスは、ｍ個のＤＭＲＳ内の時間領域における第１のＤＭＲＳの位置を決定するために、下記のフレキシブルなＤＭＲＳ構成ソリューションを使用すると決定してよい。あるいは、第２の端末デバイスは、ＰＳＳＣＨおよび第２の端末デバイスによって伝送されるＰＳＣＣＨがＴＤＭモードまたはＦＤＭモードにあるかどうか決定する動作を実施しなくてよい。たとえば、ＰＳＳＣＨおよび第２の端末デバイスによって伝送されるＰＳＣＣＨがＴＤＭモードまたはＦＤＭモードにあるかどうかは事前決定されており、第２の端末デバイスはこれをすでに知っている。したがって、第２の端末デバイスは、この決定を実施することを必要とせず、それに対応してフロントロードＤＭＲＳ構成ソリューションまたはフレキシブルなＤＭＲＳ構成ソリューションを使用することを必要とするだけである。第１の端末デバイスによって伝送されるＰＳＳＣＨ、および第２の端末デバイスによって伝送されるＰＳＳＣＨは、本願のこの実施形態では同じＰＳＳＣＨであってよい。
【０１３２】
第２の端末デバイスは、第１の端末デバイスと同じ方式で第１の情報に基づいて、ＰＳＳＣＨ上で搬送されるｍ個のＤＭＲＳの数量または位置のうちの少なくとも１つを決定し得る。詳細については、Ｓ３１における説明を参照されたい。詳細は再度記載されていない。
【０１３３】
Ｓ３２およびＳ３１は同時に実施されてもよく、またはＳ３１がＳ３２の前に実施されてもよく、またはＳ３１がＳ３２の後に実施されてもよい。これは特に限定されない。
【０１３４】
Ｓ３３：第１の端末デバイスは、ｍ個のＤＭＲＳを第２の端末デバイスに送信し、第２の端末デバイスは、ｍ個のＤＭＲＳを第１の端末デバイスから受信する。
【０１３５】
ＰＳＳＣＨ上のｍ個のＤＭＲＳの数量または位置のうちの少なくとも１つを決定した後、第１の端末デバイスは、ｍ個のＤＭＲＳを第２の端末デバイスに送信し得、その結果、第２の端末デバイスは、ｍ個のＤＭＲＳを受信し得る。第２の端末デバイスは、ｍ個のＤＭＲＳを使用することによって、チャネル推定など動作を実施し得る。
【０１３６】
本願の実施形態では、ＰＳＳＣＨ上のｍ個のＤＭＲＳの数量または位置のうちの少なくとも１つは、ＮＲシステムにおけるＶ２ＸにおいてＰＳＳＣＨ上のＤＭＲＳを構成するソリューションを提供するために、副搬送波スペーシング、ＰＳＳＣＨの期間、またはチャネルコヒーレンス時間のうちの少なくとも１つに基づいて決定され得る。ＰＳＳＣＨ上のＤＭＲＳが決定されるとき、参照チャネルコヒーレンス時間が選択され得る。たとえば、２つの構成された隣接するＤＭＲＳ間の時間間隔は、チャネルコヒーレンス時間以下となり得、その結果、ＤＭＲＳに基づいてチャネル推定を実施する精度を改善することができる。さらに、本願のこの実施形態では、ＤＭＲＳ構成ソリューションは、ＴＤＭモードおよびＦＤＭモードについて別々に提供され、その結果、ＦＤＭモードではＤＭＲＳオーバーヘッドを可能な限り低減することができ、これは、ＰＳＳＣＨのリンク伝送効率を改善する。
【０１３７】
以下は、添付の図面を参照して、本願の実施形態における前述の方法を実装するように構成された装置について記載されている。したがって、前述の内容はすべて、後続の実施形態において使用され得、繰り返される内容は再度記載されていない。
【０１３８】
図８は、通信装置８００の概略構造図である。通信装置８００は、上記の第１の端末デバイスの機能を実装し得る。通信装置８００は、上記の第１の端末デバイスであってもよく、または上記の第１の端末デバイス内に配置されたチップであってもよい。通信装置８００は、プロセッサ８０１と、トランシーバ８０２とを含み得る。プロセッサ８０１は、図３に示されている実施形態におけるＳ３１、および／または本明細書に記載されている技術をサポートするために使用される別の処理を実施するように構成され得る。たとえば、プロセッサ８０１は、上記の受信および送信処理以外の第１の端末デバイスによって実施される処理のすべてまたは一部を実施し得る。トランシーバ８０２は、図３に示されている実施形態におけるＳ３３、および／または本明細書に記載されている技術をサポートするために使用される別の処理を実施するように構成され得、たとえば、第１の端末デバイスによって実施される前述の受信および送信処理のすべてまたは一部を実施し得る。
【０１３９】
たとえば、プロセッサ８０１は、第１の情報に基づいて、ＰＳＳＣＨ上で搬送されるｍ個のＤＭＲＳの数量または位置のうちの少なくとも１つを決定するように構成され、ｍは、正の整数であり、第１の情報は、副搬送波スペーシング、ＰＳＳＣＨの期間、またはチャネルコヒーレンス時間のうちの少なくとも１つを含む。
【０１４０】
トランシーバ８０２は、ｍ個のＤＭＲＳを第２の端末デバイスに送信するように構成される。
【０１４１】
前述の方法実施形態におけるステップの関連の内容はすべて、対応する機能モジュールの機能説明に列挙され得、詳細は本明細書に再度記載されていない。
【０１４２】
図９は、通信装置９００の概略構造図である。通信装置９００は、上記の第２の端末デバイスの機能を実装し得る。通信装置９００は、上記の第２の端末デバイスであってもよく、上記の第２の端末デバイス内に配置されたチップであってもよい。通信装置９００は、プロセッサ９０１と、トランシーバ９０２とを含み得る。プロセッサ９０１は、図３に示されている実施形態におけるＳ３２、および／または本明細書に記載されている技術をサポートするために使用される別の処理を実施するように構成され得る。たとえば、プロセッサ９０１は、上記の受信および送信処理以外の第２の端末デバイスによって実施される処理のすべてまたは一部を実施し得る。トランシーバ９０２は、図３に示されている実施形態におけるＳ３３、および／または本明細書に記載されている技術をサポートするために使用される別の処理を実施するように構成され得、たとえば、第２の端末デバイスによって実施される前述の受信および送信処理のすべてまたは一部を実施し得る。
【０１４３】
たとえば、プロセッサ９０１は、第１の情報に基づいて、ＰＳＳＣＨ上で搬送されるｍ個のＤＭＲＳの数量または位置のうちの少なくとも１つを決定するように構成され、ｍは、正の整数であり、第１の情報は、副搬送波スペーシング、ＰＳＳＣＨの期間、またはチャネルコヒーレンス時間のうちの少なくとも１つを含む。
【０１４４】
トランシーバ９０２は、ｍ個のＤＭＲＳを第１の端末デバイスから受信するように構成される。
【０１４５】
前述の方法実施形態におけるステップの関連の内容はすべて、対応する機能モジュールの機能説明に列挙され得、詳細は本明細書に再度記載されていない。
【０１４６】
単純な実施形態では、当業者なら、通信装置８００または通信装置９００は、図１０Ａに示されている通信装置１０００の構造を使用することによってさらに実装され得ることがわかり得る。通信装置１０００は、上記の端末デバイスまたはネットワークデバイスの機能を実装し得る。通信装置１０００は、プロセッサ１００１を含み得る。
【０１４７】
通信装置１０００が上記の第１の端末デバイスの機能を実装するように構成されているとき、プロセッサ１００１は、図３に示されている実施形態におけるＳ３１、および／または本明細書に記載されている技術をサポートするために使用される別の処理を実施するように構成され得、たとえば、上記の受信および送信処理以外の第１の端末デバイスによって実施される処理のすべてまたは一部を実施し得る。あるいは、通信装置１０００が上記の第２の端末デバイスの機能を実装するように構成されているときプロセッサ１００１は、図３に示されている実施形態におけるＳ３２、および／または本明細書に記載されている技術をサポートするために使用される別の処理を実施するように構成され得、たとえば、上記の受信および送信処理以外の第２の端末デバイスによって実施される処理のすべてまたは一部を実施し得る。
【０１４８】
通信装置１０００は、フィールドプログラマブルゲートアレイ（ｆｉｅｌｄ−ｐｒｏｇｒａｍｍａｂｌｅ  ｇａｔｅ  ａｒｒａｙ、ＦＰＧＡ）、専用集積チップ（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、システムオンチップ（ｓｙｓｔｅｍ  ｏｎ  ｃｈｉｐ、ＳｏＣ）、中央処理装置（ｃｅｎｔｒａｌ  ｐｒｏｃｅｓｓｏｒ  ｕｎｉｔ、ＣＰＵ）、ネットワークプロセッサ（ｎｅｔｗｏｒｋ  ｐｒｏｃｅｓｓｏｒ、ＮＰ）、デジタル信号処理回路（ｄｉｇｉｔａｌ  ｓｉｇｎａｌ  ｐｒｏｃｅｓｓｏｒ、ＤＳＰ）、マイクロコントローラユニット（ｍｉｃｒｏ  ｃｏｎｔｒｏｌｌｅｒ  ｕｎｉｔ、ＭＣＵ）、プログラマブルコントローラ（ｐｒｏｇｒａｍｍａｂｌｅ  ｌｏｇｉｃ  ｄｅｖｉｃｅ、ＰＬＤ）、または別の集積チップであってよい。この場合、通信装置１０００は、本願の実施形態における第１の端末デバイスまたは第２の端末デバイス内に配置され得、その結果、第１の端末デバイスまたは第２の端末デバイスは、本願の実施形態において提供される方法を実装する。
【０１４９】
任意選択の実装では、通信装置１０００は、別のデバイスと通信するように構成されたトランシーバ構成要素を含み得る。通信装置１０００が上記の第１の端末デバイスまたは第２の端末デバイスの機能を実装するように構成されているとき、トランシーバ構成要素は、図３に示されている実施形態におけるＳ３３、および／または本明細書に記載されている技術をサポートするために使用される別の処理を実施するように構成され得る。たとえば、トランシーバ構成要素は、通信インターフェースである。通信装置１０００が第１の端末デバイスまたは第２の端末デバイスである場合、通信インターフェースは、第１の端末デバイスまたは第２の端末デバイス内のトランシーバ、たとえば、トランシーバ８０２またはトランシーバ９０２であってよい。トランシーバは、たとえば、第１の端末デバイスまたは第２の端末デバイス内の無線周波数トランシーバ構成要素である。あるいは、通信装置１０００が第１の端末デバイスまたは第２の端末デバイス内に配置されたチップである場合、通信インターフェースは、チップの入力／出力インターフェース、たとえば、入力／出力ピンであってよい。
【０１５０】
任意選択の実装では、通信装置１０００は、メモリ１００２をさらに含み得る。図１０Ｂを参照すると、メモリ１００２は、コンピュータプログラムまたは命令を記憶するように構成され、プロセッサ１００１は、コンピュータプログラムまたは命令を復号および実行するように構成される。コンピュータプログラムまたは命令は、第１の端末デバイスまたは第２の端末デバイスの機能プログラムを含み得ることを理解されたい。第１の端末デバイスの機能プログラムがプロセッサ１００１によって復号および実行されるとき、第１の端末デバイスは、本願の実施形態における図３に示されている実施形態において提供される方法における第１の端末デバイスの機能を実装することができる。第２の端末デバイスの機能プログラムがプロセッサ１００１によって復号および実行されるとき、第２の端末デバイスは、本願の実施形態における図３に示されている実施形態において提供される方法における第２の端末デバイスの機能を実装することができる。
【０１５１】
別の任意選択の実装では、第１の端末デバイスまたは第２の端末デバイスの機能プログラムは、通信装置１０００の外部メモリ内に記憶される。第１の端末デバイスの機能プログラムがプロセッサ１００１によって復号および実行されるとき、メモリ１００２は、第１の端末デバイスの機能プログラムの一部またはすべての内容を一時的に記憶する。第２の端末デバイスの機能プログラムがプロセッサ１００１によって復号および実行されるとき、メモリ１００２は、第２の端末デバイスの機能プログラムの一部またはすべての内容を一時的に記憶する。
【０１５２】
別の任意選択の実装では、第１の端末デバイスまたは第２の端末デバイスの機能プログラムは、通信装置１０００の内部メモリ１００２内に記憶されるように構成される。第１の端末デバイスの機能プログラムが通信装置１０００の内部メモリ１００２内に記憶されるとき、通信装置１０００は、本願の実施形態における第１の端末デバイス内に配置されてよい。第２の端末デバイスの機能プログラムが通信装置１０００の内部メモリ１００２内に記憶されるとき、通信装置１０００は、本願の実施形態における第２の端末デバイス内に配置されてよい。
【０１５３】
さらに別の任意選択の実装では、第１の端末デバイスの機能プログラムの一部の内容は、通信装置１０００の外部メモリ内に記憶され、第１の端末デバイスの機能プログラムの一部の他の内容は、通信装置１０００の内部メモリ１００２内に記憶される。あるいは、第２の端末デバイスの機能プログラムの一部の内容は、通信装置１０００の外部メモリ内に記憶され、第２の端末デバイスの機能プログラムの一部の他の内容は、通信装置１０００の内部メモリ８０２内に記憶される。
【０１５４】
本願の実施形態では、通信装置８００、通信装置９００、および通信装置１０００は、各機能モジュールが各対応する機能に基づく分割を通じて得られる形態で提示され、または、各機能モジュールが集積方式で分割を通じて得られる形態で提示されてもよい。本明細書における「モジュール」は、ＡＳＩＣ、１つまたは複数のソフトウェアもしくはファームウェアプログラムを実行するプロセッサおよびメモリ、集積論理回路、ならびに／または前述の機能を提供することができる別の構成要素であってよい。
【０１５５】
さらに、図８に示されている実施形態において提供される通信装置８００は、代替として、別の形態で実装されてもよい。たとえば、通信装置は、処理モジュールと、トランシーバモジュールとを含む。たとえば、処理モジュールは、プロセッサ８０１を使用することによって実装され得、トランシーバモジュールは、トランシーバ８０２を使用することによって実装され得る。処理モジュールは、図３に示されている実施形態におけるＳ３１、および／または本明細書に記載されている技術をサポートするために使用される別の処理を実施するように構成され得る。トランシーバモジュールは、図３に示されている実施形態におけるＳ３３、および／または本明細書に記載されている技術をサポートするために使用される別の処理を実施するように構成され得る。
【０１５６】
たとえば、処理モジュールは、第１の情報に基づいて、ＰＳＳＣＨ上で搬送されるｍ個のＤＭＲＳの数量または位置のうちの少なくとも１つを決定するように構成され、ｍは、正の整数であり、第１の情報は、副搬送波スペーシング、ＰＳＳＣＨの期間、またはチャネルコヒーレンス時間のうちの少なくとも１つを含む。
【０１５７】
トランシーバモジュールは、ｍ個のＤＭＲＳを第２の端末デバイスに送信するように構成される。
【０１５８】
前述の方法実施形態におけるステップの関連の内容はすべて、対応する機能モジュールの機能説明に列挙され得、詳細は本明細書に再度記載されていない。
【０１５９】
図９に示されている実施形態において提供される通信装置９００は、代替として、別の形態で実装されてもよい。たとえば、通信装置は、処理モジュールと、トランシーバモジュールとを含む。たとえば、処理モジュールは、プロセッサ９０１を使用することによって実装されてもよく、トランシーバモジュールは、トランシーバ９０２を使用することによって実装されてもよい。処理モジュールは、図３に示されている実施形態におけるＳ３２、および／または本明細書に記載されている技術をサポートするために使用される別の処理を実施するように構成され得る。トランシーバモジュールは、図３に示されている実施形態におけるＳ３３、および／または本明細書に記載されている技術をサポートするために使用される別の処理を実施するように構成され得る。
【０１６０】
たとえば、処理モジュールは、第１の情報に基づいて、ＰＳＳＣＨ上で搬送されるｍ個のＤＭＲＳの数量または位置のうちの少なくとも１つを決定するように構成され、ｍは、正の整数であり、第１の情報は、副搬送波スペーシング、ＰＳＳＣＨの期間、またはチャネルコヒーレンス時間のうちの少なくとも１つを含む。
【０１６１】
トランシーバモジュールは、ｍ個のＤＭＲＳを第１の端末デバイスから受信するように構成される。
【０１６２】
前述の方法実施形態におけるステップの関連の内容はすべて、対応する機能モジュールの機能説明に列挙され得、詳細は本明細書に再度記載されていない。
【０１６３】
本願の実施形態において提供される通信装置８００、通信装置９００、および通信装置１０００は、図３に示されている実施形態において提供される方法を実施するように構成され得る。したがって、これらの通信装置によって達成することができる技術的効果については、前述の方法実施形態を参照されたい。詳細は本明細書に再度記載されていない。
【０１６４】
本願の実施形態は、本願の実施形態による方法、デバイス（システム）、およびコンピュータプログラム製品のフローチャートおよび／またはブロック図を参照して記載されている。コンピュータプログラム命令は、フローチャートおよび／またはブロック図内の各処理および／または各ブロック、ならびにフローチャートおよび／またはブロック図内の処理および／またはブロックの組合せを実装するために使用され得ることを理解されたい。コンピュータプログラム命令は、汎用コンピュータ、専用コンピュータ、埋込みプロセッサ、または別のプログラマブルデータ処理デバイスのプロセッサに、マシンを生成するために提供され得、その結果、コンピュータまたは別のプログラマブルデータ処理デバイスのプロセッサによって実行される命令は、フローチャート内の１つまたは複数の処理内、および／またはブロック図内の１つまたは複数のブロック内の指定された機能を実装するように構成された装置を生成する。
【０１６５】
前述の実施形態のすべてまたは一部は、ソフトウェア、ハードウェア、ファームウェア、またはそれらの任意の組合せによって実装され得る。ソフトウェアが実施形態を実装するために使用されるとき、実施形態のすべてまたは一部は、コンピュータプログラム製品の形態で実装され得る。コンピュータプログラム製品は、１つまたは複数のコンピュータ命令を含む。コンピュータプログラム命令がコンピュータ上でロードおよび実行されるとき、本願の実施形態による手順または機能のすべてまたは一部が生成される。コンピュータは、汎用コンピュータ、専用コンピュータ、コンピュータネットワーク、または別のプログラマブル装置であってよい。コンピュータ命令は、コンピュータ可読記憶媒体内に記憶されてもよく、またはコンピュータ可読記憶媒体から別の可読記憶媒体に伝送されてもよい。たとえば、コンピュータ命令は、ウェブサイト、コンピュータ、サーバ、またはデータセンタから有線（たとえば、同軸ケーブル、光ファイバ、デジタル加入者線（ｄｉｇｉｔａｌ  ｓｕｂｓｃｒｉｂｅｒ  ｌｉｎｅ、ＤＳＬ））方式またはワイヤレス（たとえば、赤外線、無線、またはマイクロ波）方式で別のウェブサイト、コンピュータ、サーバ、またはデータセンタに伝送されてよい。コンピュータ可読記憶媒体は、コンピュータによってアクセス可能な任意の使用可能な媒体、または一体化されている１つまたは複数の使用可能な媒体を含む、サーバもしくはデータセンタなどデータ記憶デバイスであってよい。使用可能な媒体は、磁気媒体（たとえば、フロッピディスク、ハードディスク、または磁気テープ）、光媒体（たとえば、デジタル多用途ディスク（ｄｉｇｉｔａｌ  ｖｅｒｓａｔｉｌｅ  ｄｉｓｃ、ＤＶＤ））、半導体媒体（たとえば、ソリッドステートディスク（ｓｏｌｉｄ  ｓｔａｔｅ  ｄｉｓｋ、ＳＳＤ））などであってよい。
【０１６６】
当業者なら本願の精神および範囲から逸脱することなく本願の実施形態に様々な修正および変形をなすことができることは明らかである。このようにして、本願は、これらの修正および変形が以下の特許請求の範囲によって定義される保護およびそれらの均等の技術の範囲内に入る限り、本願の実施形態のこれらの修正および変形を包含することが意図されている。
【図１】
2021536713.tif 000010
【図２】
2021536713.tif 000011
【図３】
2021536713.tif 000012
【図４】
2021536713.tif 000013
【図５】
2021536713.tif 000014
【図６】
2021536713.tif 000015
【図７】
2021536713.tif 000016
【図８】
2021536713.tif 000017
【図９】
2021536713.tif 000018
【図１０Ａ】
2021536713.tif 000019
【図１０Ｂ】
2021536713.tif 000020
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
物理サイドリンク共有チャネル（ＰＳＳＣＨ）の期間に基づいて、前記ＰＳＳＣＨ上で搬送されるｍ個の復調参照信号（ＤＭＲＳ）の数量および位置を決定するステップであって、ｍは正の整数である、ステップと、
前記ｍ個のＤＭＲＳを第２の端末デバイスに送信するステップと
を含む、情報送信方法。
【請求項２】
物理サイドリンク共有チャネル（ＰＳＳＣＨ）の期間に基づいて、前記ＰＳＳＣＨ上で搬送されるｍ個の復調参照信号（ＤＭＲＳ）の数量および位置を決定する前記ステップは、
前記ＰＳＳＣＨの前記期間、およびＤＭＲＳと前記ＰＳＳＣＨの前記期間との間の事前構成された対応関係に基づいて、前記ｍ個のＤＭＲＳの前記数量および前記位置を決定するステップ
を含む、請求項１に記載の方法。
【請求項３】
前記対応関係は、
前記ＰＳＳＣＨの期間が１３シンボルの場合、前記ｍ個のＤＭＲＳの前記数量は３であり、前記ｍ個のＤＭＲＳはシーケンス番号が１、６および１１であるシンボルを占有し、
前記ＰＳＳＣＨの期間が９シンボルの場合、前記ｍ個のＤＭＲＳの数量は３であり、前記ｍ個のＤＭＲＳはシーケンス番号が１、４および７であるシンボルを占有し、または
前記ＰＳＳＣＨの期間が１０または１１シンボルの場合、前記ｍ個のＤＭＲＳの数量は４であり、前記ｍ個のＤＭＲＳは、シーケンス番号が１、４、７および１０であるシンボルを占有する、
請求項２に記載の方法。
【請求項４】
前記ＰＳＳＣＨの第１のシンボルは、前記ｍ個のＤＭＲＳの第１のＤＭＲＳによって占有されない、
前記請求項１に記載の方法。
【請求項５】
前記ｍ個のＤＭＲＳの第１のＤＭＲＳは、前記ＰＳＳＣＨ内の第２のシンボルを占有する、
請求項１に記載の方法。
【請求項６】
前記ＰＳＳＣＨの第１のシンボルは、自動利得制御に使用される、
請求項１に記載の方法。
【請求項７】
物理サイドリンク共有チャネル（ＰＳＳＣＨ）の期間に基づいて、前記ＰＳＳＣＨ上で搬送されるｍ個の復調参照信号（ＤＭＲＳ）の数量および位置を決定するステップであって、ｍは正の整数である、ステップと、
前記ｍ個のＤＭＲＳを第１の端末デバイスから受信するステップと
を含む、情報受信方法。
【請求項８】
物理サイドリンク共有チャネル（ＰＳＳＣＨ）の期間に基づいて、前記ＰＳＳＣＨ上で搬送されるｍ個の復調参照信号（ＤＭＲＳ）の数量および位置を決定する前記ステップは、
前記ＰＳＳＣＨの前記期間、およびＤＭＲＳと前記ＰＳＳＣＨの前記期間との間の事前構成された対応関係に基づいて、前記ｍ個のＤＭＲＳの前記数量および前記位置を決定するステップ
を含む、請求項７に記載の方法。
【請求項９】
前記対応関係は、
前記ＰＳＳＣＨの期間が１３シンボルの場合、前記ｍ個のＤＭＲＳの前記数量は３であり、前記ｍ個のＤＭＲＳはシーケンス番号が１、６および１１であるシンボルを占有し、
前記ＰＳＳＣＨの期間が９シンボルの場合、前記ｍ個のＤＭＲＳの数量は３であり、前記ｍ個のＤＭＲＳはシーケンス番号が１、４および７であるシンボルを占有し、または
前記ＰＳＳＣＨの期間が１０または１１シンボルの場合、前記ｍ個のＤＭＲＳの数量は４であり、前記ｍ個のＤＭＲＳは、シーケンス番号が１、４、７および１０であるシンボルを占有する、
請求項８に記載の方法。
【請求項１０】
前記ＰＳＳＣＨの第１のシンボルは、前記ｍ個のＤＭＲＳの第１のＤＭＲＳによって占有されない、
前記請求項７に記載の方法。
【請求項１１】
前記ｍ個のＤＭＲＳの第１のＤＭＲＳは、前記ＰＳＳＣＨ内の第２のシンボルを占有する、
請求項７に記載の方法。
【請求項１２】
前記ＰＳＳＣＨの第１のシンボルは、自動利得制御に使用される、
請求項７に記載の方法。
【請求項１３】
物理サイドリンク共有チャネル（ＰＳＳＣＨ）の期間に基づいて、前記ＰＳＳＣＨ上で搬送されるｍ個の復調参照信号（ＤＭＲＳ）の数量および位置を決定するように構成されたプロセッサであって、ｍは正の整数である、プロセッサと、
前記ｍ個のＤＭＲＳを第２の端末デバイスに送信するように構成されたトランシーバと
を備えた、端末デバイス。
【請求項１４】
前記プロセッサは、前記ＰＳＳＣＨの前記期間、およびＤＭＲＳと前記ＰＳＳＣＨの前記期間との間の事前構成された対応関係に基づいて、前記ｍ個のＤＭＲＳの前記数量および前記位置を決定するように構成される、請求項１３に記載の端末デバイス。
【請求項１５】
前記対応関係は、
前記ＰＳＳＣＨの期間が１３シンボルの場合、前記ｍ個のＤＭＲＳの前記数量は３であり、前記ｍ個のＤＭＲＳはシーケンス番号が１、６および１１であるシンボルを占有し、
前記ＰＳＳＣＨの期間が９シンボルの場合、前記ｍ個のＤＭＲＳの数量は３であり、前記ｍ個のＤＭＲＳはシーケンス番号が１、４および７であるシンボルを占有し、または
前記ＰＳＳＣＨの期間が１０または１１シンボルの場合、前記ｍ個のＤＭＲＳの数量は４であり、前記ｍ個のＤＭＲＳは、シーケンス番号が１、４、７および１０であるシンボルを占有する、
請求項１４に記載の端末デバイス。
【請求項１６】
前記ＰＳＳＣＨの第１のシンボルは、前記ｍ個のＤＭＲＳの第１のＤＭＲＳによって占有されない、
前記請求項１３に記載の端末デバイス。
【請求項１７】
前記ｍ個のＤＭＲＳの第１のＤＭＲＳは、前記ＰＳＳＣＨ内の第２のシンボルを占有する、
請求項１３に記載の端末デバイス。
【請求項１８】
前記ＰＳＳＣＨの第１のシンボルは、自動利得制御に使用される、
請求項１３に記載の端末デバイス。
【請求項１９】
物理サイドリンク共有チャネル（ＰＳＳＣＨ）の期間に基づいて、前記ＰＳＳＣＨ上で搬送されるｍ個の復調参照信号（ＤＭＲＳ）の数量および位置を決定するように構成されたプロセッサであって、ｍは正の整数である、プロセッサと、
前記ｍ個のＤＭＲＳを第１の端末デバイスから受信するように構成されたトランシーバと
を備えた、端末デバイス。
【請求項２０】
前記プロセッサは、前記ＰＳＳＣＨの前記期間、およびＤＭＲＳと前記ＰＳＳＣＨの期間との間の事前構成された対応関係に基づいて、前記ｍ個のＤＭＲＳの前記数量および前記位置を決定するように構成された、請求項１９に記載の端末デバイス。
【請求項２１】
前記対応関係は、
前記ＰＳＳＣＨの期間が１３シンボルの場合、前記ｍ個のＤＭＲＳの前記数量は３であり、前記ｍ個のＤＭＲＳはシーケンス番号が１、６および１１であるシンボルを占有し、
前記ＰＳＳＣＨの期間が９シンボルの場合、前記ｍ個のＤＭＲＳの数量は３であり、前記ｍ個のＤＭＲＳはシーケンス番号が１、４および７であるシンボルを占有し、または
前記ＰＳＳＣＨの期間が１０または１１シンボルの場合、前記ｍ個のＤＭＲＳの数量は４であり、前記ｍ個のＤＭＲＳは、シーケンス番号が１、４、７および１０であるシンボルを占有する、
請求項２０に記載の端末デバイス。
【請求項２２】
前記ＰＳＳＣＨの第１のシンボルは、前記ｍ個のＤＭＲＳの第１のＤＭＲＳによって占有されない、
前記請求項１９に記載の端末デバイス。
【請求項２３】
前記ｍ個のＤＭＲＳの第１のＤＭＲＳは、前記ＰＳＳＣＨ内の第２のシンボルを占有する、
請求項１９に記載の端末デバイス。
【請求項２４】
前記ＰＳＳＣＨの第１のシンボルは、自動利得制御に使用される、
請求項１９に記載の端末デバイス。
【請求項２５】
請求項１から６のいずれか一項に記載の方法を実行するように構成された、または請求項７から１２のいずれか一項に記載の方法を実行するように構成された、装置。
【請求項２６】
コンピュータ可読記憶媒体であって、前記コンピュータ可読記憶媒体は命令を備え、前記命令は、コンピュータにより実行されたとき、前記コンピュータに請求項１から６のいずれか一項に記載の方法を実行すること、または請求項７から１２のいずれか一項に記載の方法を実行させる、コンピュータ可読記憶媒体。
【手続補正２】
【補正対象書類名】明細書
【補正対象項目名】００１５
【補正方法】変更
【補正の内容】
【００１５】
ＰＳＳＣＨ、および端末デバイスによって伝送されるＰＳＣＣＨが異なるモードにあるとき、ｍ個のＤＭＲＳの位置は異なり得る。したがって、第１の端末デバイスまたは第２の端末デバイスは、ＰＳＳＣＨ、および端末デバイスによって伝送されるＰＳＣＣＨのモードを決定し得る。
【手続補正３】
【補正対象書類名】明細書
【補正対象項目名】００６０
【補正方法】変更
【補正の内容】
【００６０】
第１０の態様によれば、コンピュータ可読記憶媒体が提供される。コンピュータ可読記憶媒体は、命令を記憶し、命令がコンピュータ上で実行されたとき、コンピュータは、第１の態様または第１の態様の可能な設計のいずれか１つによる方法を実施することを可能にされる。
【手続補正４】
【補正対象書類名】明細書
【補正対象項目名】０１０３
【補正方法】変更
【補正の内容】
【０１０３】
表２は、副搬送波スペーシングおよびＰＳＳＣＨの期間とＤＭＲＳの数量および位置との間の対応関係として理解されてよい。しかし、対応関係の設定中、ＤＭＲＳの位置が決定されることを必要とするので、チャネルコヒーレンス時間もまた使用される。したがって、表２は、ＤＭＲＳの数量および位置と、副搬送波スペーシングおよびＰＳＳＣＨの期間と、チャネルコヒーレンス時間との間の対応関係として理解されてもよい。表２では、ＤＭＲＳ位置の列内で、第１の行の水平座標における０から４は、ＤＭＲＳの位置または数量の代わりにポインタと考えられ得る。３、６、および９など以下の行内の数は、ＤＭＲＳによって占有されるシンボルの位置と考えられ得る。たとえば、３は、そのシーケンス番号が３であるシンボルが占有されることを示す。たとえば、副搬送波スペーシングは１５ｋＨｚである。ＰＳＳＣＨの期間が３つのシンボルである場合、ＤＭＲＳ位置は、そのシーケンス番号が０であるシンボルを占有する唯一のＤＭＲＳを含み、次いでそのＤＭＲＳは、ＰＳＳＣＨ全体をカバーし得る。すなわち、ｍ個のＤＭＲＳの数量は１、すなわちｍ＝１である。あるいは、副搬送波スペーシングは１５ｋＨｚである。ＰＳＳＣＨの期間が６個のシンボルである場合、ＤＭＲＳ位置は、そのシーケンス番号が０であるシンボルを占有する唯一のＤＭＲＳを含むことは不十分であり、なぜなら、ＤＭＲＳが位置するシンボルとＰＳＳＣＨ内の最後のシンボルとの間の時間間隔がチャネルコヒーレンス時間より大きいからである。したがって、そのシーケンス番号が３であるシンボルを占有する１つのＤＭＲＳがさらに含まれる。すなわち、ｍ個のＤＭＲＳの数量は２、すなわちｍ＝２である。本明細書におけるシンボルのシーケンス番号は、ＰＳＳＣＨによって占有されるシンボルのシーケンス番号が時間領域シーケンスにおける０から開始する例を使用することによって書かれている。
【手続補正５】
【補正対象書類名】明細書
【補正対象項目名】０１０７
【補正方法】変更
【補正の内容】
【０１０７】
本願のこの実施形態では、復号処理を加速し、レイテンシを低減するために、フロントロードＤＭＲＳ構成解決策が使用され得る。すなわち、ｍ個のＤＭＲＳ内の時間領域における第１のＤＭＲＳは、可能な限りＰＳＳＣＨの先頭に配置され得る。これは、復号処理を加速し、伝送レイテンシを低減する助けとなる。しかし、要件に従って、ＮＲシステムでは、ＰＳＳＣＨ内の第１のシンボルは、データまたは自動利得制御（ａｕｔｏｍａｔｉｃ  ｇａｉｎ  ｃｏｎｔｒｏｌ、ＡＧＣ）により占有されるように構成され得る。これらの２つの場合、フロントロードＤＭＲＳ構成解決策はわずかに異なる。以下は、２つの場合について別々に記載されている。
【手続補正６】
【補正対象書類名】明細書
【補正対象項目名】０１１４
【補正方法】変更
【補正の内容】
【０１１４】
表３は、副搬送波スペーシングおよびＰＳＳＣＨの期間とＤＭＲＳの数量および位置との間の対応関係として理解されてよい。しかし、対応関係の設定中、ＤＭＲＳの位置が決定されることを必要とするので、チャネルコヒーレンス時間もまた使用される。したがって、表３は、ＤＭＲＳの数量および位置と、副搬送波スペーシングおよびＰＳＳＣＨの期間と、チャネルコヒーレンス時間との間の対応関係として理解されてもよい。表３では、ＤＭＲＳ位置の列内で、第１の行の水平座標における０から４は、ＤＭＲＳの位置または数量の代わりにポインタと考えられ得る。３、６、および９など以下の行内の数は、ＤＭＲＳによって占有されるシンボルの位置と考えられ得る。たとえば、３は、そのシーケンス番号が３であるシンボルが占有されることを示す。たとえば、副搬送波スペーシングは１５ｋＨｚである。ＰＳＳＣＨの期間が４個のシンボルである場合、ＤＭＲＳ位置は、そのシーケンス番号が１であるシンボルを占有する唯一の１つのＤＭＲＳを含み、次いでそのＤＭＲＳは、ＰＳＳＣＨ全体をカバーし得る。すなわち、ｍ個のＤＭＲＳの数量は１、すなわちｍ＝１である。あるいは、副搬送波スペーシングは１５ｋＨｚである。ＰＳＳＣＨの期間７個のシンボルである場合、ＤＭＲＳ位置は、そのシーケンス番号が１であるシンボルを占有する唯一のＤＭＲＳを含むことは不十分であり、なぜなら、ＤＭＲＳが位置するシンボルとＰＳＳＣＨ内の最後のシンボルとの間の時間間隔がチャネルコヒーレンス時間より大きいからである。したがって、そのシーケンス番号が４であるシンボルを占有する１つのＤＭＲＳがさらに含まれる。すなわち、ｍ個のＤＭＲＳの数量は２、すなわちｍ＝２である。本明細書におけるシンボルのシーケンス番号は、ＰＳＳＣＨによって占有されるシンボルのシーケンス番号が時間領域シーケンスにおける０から開始する例を使用することによって書かれている。
【国際調査報告】
2021536713.tif 000021
2021536713.tif 000022
2021536713.tif 000023
2021536713.tif 000024